(57)【要約】  ページング最適化とCSG情報の同期化との間の相互作用によって引き起こされる問題は、例えば、加入者がもはやCSGのメンバではないにもかかわらず、前記加入者に関連するアクセス端末がこの事実を通知されているということの確認をネットワークがまだ得ていないということを表示するネットワーク表示子を設定することによって軽減される。加入者がもはやCSGのメンバでないといったん決定されるとき前記加入者について加入者情報からCSG IDを削除するために、タイマベースのスキームを使用することができる。さらに、CSGの暫定メンバは、CSGタイマの満了と同時に、自分がまだCSGのメンバであるかどうか決定することができる。また、アクセス端末が登録をする頻度は、様々な基準に基づいて変更することができる。さらにまた、ページメッセージの宛先に依存して、ページメッセージの中に被許可CSGリストを選択的に含めることができる。【選択図】図3Ａ
2012517141.tif 000002
【特許請求の範囲】
【請求項１】
以下のことを具備する通信の方法:
加入者がもはやクローズドサブスクライバグループのメンバではないと決定することと、
前記決定の結果として、前記加入者がもはや前記クローズドサブスクライバグループのメンバではないという表示子を設定することと、および
前記表示子をモビリティマネージャに送ること。
【請求項２】
前記表示子の前記設定は、前記加入者に関連するアクセス端末におけるクローズドサブスクライバグループリストからの前記クローズドサブスクライバグループの識別子についての削除がペンディングであることを表示する値に前記表示子を設定することを具備する、請求項1の方法。
【請求項３】
前記リストは、許可されたクローズドサブスクライバグループリストを具備する、請求項２の方法。
【請求項４】
前記決定の結果として、前記リストの更新を開始するためのメッセージを送信することをさらに具備する請求項2の方法。
【請求項５】
前記表示子の前記設定は、前記加入者についてクローズドサブスクライバグループ加入者情報を更新することを具備し、および
前記表示子の前記送信は、前記モビリティマネージャに前記更新されたクローズドサブスクライバグループ加入者情報を送ることを具備する、
請求項1の方法。
【請求項６】
前記決定は、前記クローズドサブスクライバグループから前記加入者が削除されたと決定することを具備する、請求項1の方法。
【請求項７】
前記決定は、前記クローズドサブスクライバグループへの加入期間が満了したと決定することを具備する、請求項1の方法。
【請求項８】
前記決定は、クローズドサブスクライバグループ管理サーバからメッセージを受け取ることを具備し、および
前記メッセージは、前記加入者が前記クローズドサブスクライバグループから削除されたことを表示する、
請求項1の方法。
【請求項９】
前記加入者がもはや前記クローズドサブスクライバグループのメンバではないことを表示するために、前記加入者に関連するアクセス端末におけるクローズドサブスクライバグループリストが更新されたという表示子を受け取ることと、および
前記リストが更新されたという前記表示子の前記受取りの結果として、前記加入者についてクローズドサブスクライバグループ加入者情報から前記クローズドサブスクライバグループの識別子を削除することと、
をさらに具備する請求項1の方法。
【請求項１０】
前記リストが更新されたという前記表示子の前記受取りの結果として、前記モビリティマネージャにメッセージを送ることをさらに具備する請求項９の方法であって、前記メッセージは、前記加入者についてクローズドサブスクライバグループ加入者情報から前記クローズドサブスクライバグループの識別子を削除することを前記モビリティマネージャに要求する、請求項9の方法。
【請求項１１】
前記リストが更新されたという前記表示子の前記受取りは、前記クローズドサブスクライバグループリストが更新されたことを表示するメッセージをクローズドサブスクライバグループリストサーバから受け取ることを具備する、請求項9の方法。
【請求項１２】
前記リストが更新されたという前記表示子の前記受取りは、前記クローズドサブスクライバグループに関連するアクセスポイントにおける前記アクセス端末によるアクセスの試みを前記モビリティマネージャが拒否したことを表示するメッセージをモビリティマネージャから受け取ることを具備する、請求項9の方法。
【請求項１３】
前記モビリティマネージャは、前記加入者に関連するアクセス端末のためのアクセスを制御するMME、または前記加入者に関連するアクセス端末のためのアクセスを制御するSGSNを具備する、請求項1の方法。
【請求項１４】
前記決定の結果として、タイマを設定することと、
前記タイマが満了したと決定することと、および
前記タイマの前記満了の結果として、前記加入者についてクローズドサブスクライバグループ加入者情報から前記クローズドサブスクライバグループの識別子を削除することと
をさらに具備する請求項１の方法。
【請求項１５】
前記タイマの前記満了の結果として、前記モビリティマネージャにメッセージを送ることをさらに具備する請求項14の方法であって、前記メッセージは、前記加入者についてクローズドサブスクライバグループ加入者情報から前記クローズドサブスクライバグループの識別子を削除することを前記モビリティマネージャに要求する、請求項14の方法。
【請求項１６】
前記タイマの前記満了は、前記タイマの前記設定の後の所定の期間の間、前記クローズドサブスクライバグループに関連するどのアクセスポイントにもアクセスしない前記加入者に関連するアクセス端末に依存する、請求項14の方法。
【請求項１７】
前記アクセスは、再選択を具備する、請求項16の方法。
【請求項１８】
前記アクセスは、非アクセス層メッセージの送信を具備する、請求項16の方法。
【請求項１９】
以下のものを具備する通信のための装置:
加入者がもはやクローズドサブスクライバグループのメンバではないと決定するように構成されており、かつ、前記決定の結果として、前記加入者がもはや前記クローズドサブスクライバグループのメンバではないという表示子を設定するようにさらに構成されているサブスクリプションデータベースと、および
前記表示子をモビリティマネージャに送るように構成されている通信コントローラ。
【請求項２０】
前記表示子の前記設定は、前記加入者に関連するアクセス端末におけるクローズドサブスクライバグループリストからの前記クローズドサブスクライバグループの識別子についての削除がペンディングであることを表示する値に前記表示子を設定することを具備する、請求項19の装置。
【請求項２１】
前記決定は、前記加入者が前記クローズドサブスクライバグループから削除されたと決定することを具備する、請求項19の装置。
【請求項２２】
前記決定は、前記クローズドサブスクライバグループへの加入期間が満了したと決定することを具備する、請求項19の装置。
【請求項２３】
前記サブスクリプションデータベースは、以下のことを行うようにさらに構成されている、請求項19の装置：
前記決定の結果として、タイマを設定することと、
前記タイマが満了したと決定することと、および
前記タイマの前記満了の結果として、前記加入者についてクローズドサブスクライバグループ加入者情報から前記クローズドサブスクライバグループの識別子を削除すること。
【請求項２４】
前記タイマの前記満了は、前記タイマの前記設定の後の所定の期間の間、前記クローズドサブスクライバグループに関連するどのアクセスポイントにもアクセスしない前記加入者に関連するアクセス端末に依存する、請求項23の装置。
【請求項２５】
以下の手段を具備する通信のための装置:
加入者がもはやクローズドサブスクライバグループのメンバではないと決定するための手段と、
前記決定の結果として、前記加入者がもはや前記クローズドサブスクライバグループのメンバではないという表示子を設定するための手段と、および
前記表示子をモビリティマネージャに送るための手段。
【請求項２６】
前記表示子の前記設定は、前記加入者に関連するアクセス端末におけるクローズドサブスクライバグループリストからの前記クローズドサブスクライバグループの識別子についての削除がペンディングであることを表示する値に前記表示子を設定することを具備する、請求項25の装置。
【請求項２７】
前記決定は、前記加入者が前記クローズドサブスクライバグループから削除されたと決定することを具備する、請求項25の装置。
【請求項２８】
前記決定は、前記クローズドサブスクライバグループへの加入期間が満了したと決定することを具備する、請求項25の装置。
【請求項２９】
前記決定の結果として、タイマを設定するための手段と、
前記タイマが満了したと決定するための手段と、および
前記タイマの前記満了の結果として、前記加入者についてクローズドサブスクライバグループ加入者情報から前記クローズドサブスクライバグループの識別子を削除するための手段と
をさらに具備する、請求項25の装置。
【請求項３０】
前記タイマの前記満了は、前記タイマの前記設定の後の所定の期間の間、前記クローズドサブスクライバグループに関連するどのアクセスポイントにもアクセスしない前記加入者に関連するアクセス端末に依存する、請求項29の装置。
【請求項３１】
加入者がもはやクローズドサブスクライバグループのメンバではないと決定することと、
前記決定の結果として、前記加入者がもはや前記クローズドサブスクライバグループのメンバではないという表示子を設定することと、および
前記表示子をモビリティマネージャに送ることと
をコンピュータにさせるためのコードを具備するコンピュータ可読媒体
を具備するコンピュータプログラム製品。
【請求項３２】
前記表示子の前記設定は、前記加入者に関連するアクセス端末におけるクローズドサブスクライバグループリストからの前記クローズドサブスクライバグループの識別子についての削除がペンディングであることを表示する値に前記表示子を設定することを具備する、請求項31のコンピュータプログラム製品。
【請求項３３】
前記決定は、前記加入者が前記クローズドサブスクライバグループから削除されたと決定することを具備する、請求項31のコンピュータプログラム製品。
【請求項３４】
前記決定は、前記クローズドサブスクライバグループへの加入期間が満了したと決定することを具備する、請求項31のコンピュータプログラム製品。
【請求項３５】
前記コンピュータ可読媒体は、前記コンピュータに以下のことをさせるコードをさらに具備する、請求項31のコンピュータプログラム製品：
前記決定の結果として、タイマを設定することと、
前記タイマが満了したと決定することと、および
前記タイマの前記満了の結果として、前記加入者についてクローズドサブスクライバグループ加入者情報から前記クローズドサブスクライバグループの識別子を削除すること。
【請求項３６】
前記タイマの前記満了は、前記タイマの前記設定の後の所定の期間の間、前記クローズドサブスクライバグループに関連するどのアクセスポイントにもアクセスしない前記加入者に関連するアクセス端末に依存する、請求項35のコンピュータプログラム製品。
【請求項３７】
以下のことを具備する通信の方法:
加入者がもはやクローズドサブスクライバグループのメンバではないという表示子を受け取ることと、
前記加入者に関連するアクセス端末がページされることになっていると決定することと、および
前記表示子の前記受取りと前記決定とに基づいて、前記クローズドサブスクライバグループに関連するアクセスポイントにおいて前記アクセス端末をページすること。
【請求項３８】
前記表示子は、前記アクセス端末におけるクローズドサブスクライバグループのリストからの前記クローズドサブスクライバグループの識別子についての削除がペンディングであることを表示する、請求項37の方法。
【請求項３９】
前記リストは、許可されたクローズドサブスクライバグループリストを具備する、請求項38の方法。
【請求項４０】
前記表示子の前記受取りは、前記加入者についてクローズドサブスクライバグループ加入者情報を受け取ることを具備し、および
前記加入者情報は、前記表示子を含む、
請求項37の方法。
【請求項４１】
前記表示子の前記受取りに基づいて、前記クローズドサブスクライバグループに関連するアクセスポイントにおける前記アクセス端末によるアクセスの試みを拒否することをさらに具備する、請求項37の方法。
【請求項４２】
前記表示子は、ネットワークエンティティから受け取られ、
前記方法は、前記拒否の結果として、前記ネットワークエンティティにメッセージを送ることをさらに具備し、および
前記メッセージは、前記ネットワークエンティティが、前記加入者についてクローズドサブスクライバグループ加入者情報から前記クローズドサブスクライバグループの識別子を削除してもよいという表示子を具備する、
請求項41の方法。
【請求項４３】
前記拒否の結果として、前記加入者についてクローズドサブスクライバグループ加入者情報から前記クローズドサブスクライバグループの識別子を削除することをさらに具備する、請求項41の方法。
【請求項４４】
前記表示子は、ネットワークエンティティから受け取られる、請求項３７の方法であって、前記方法は、前記加入者についてクローズドサブスクライバグループ加入者情報から前記クローズドサブスクライバグループの識別子を削除することを要求するメッセージを前記ネットワークエンティティから受け取ることをさらに具備する、請求項37の方法。
【請求項４５】
前記アクセス端末の前記ページングは、前記アクセス端末のためのアクセスを制御するモビリティマネージャによって行なわれる、請求項37の方法。
【請求項４６】
前記表示子の前記受取りの結果として、タイマを設定することと、
前記タイマが満了したと決定することと、および
前記タイマの前記満了の結果として、前記加入者についてクローズドサブスクライバグループ加入者情報から前記クローズドサブスクライバグループの識別子を削除することと
をさらに具備する、請求項37の方法。
【請求項４７】
前記タイマの前記満了は、前記タイマの前記設定の後の所定の期間の間、前記クローズドサブスクライバグループに関連するどのアクセスポイントにもアクセスしない前記アクセス端末に依存する、請求項46の方法。
【請求項４８】
前記アクセスは、再選択を具備する、請求項47の方法。
【請求項４９】
前記アクセスは、非アクセス層メッセージの送信を具備する、請求項47の方法。
【請求項５０】
前記アクセス端末がページされることになっているという前記決定は、前記アクセス端末がページされることになっているということを表示するメッセージを受け取ることを具備する、請求項37の方法。
【請求項５１】
前記アクセス端末がページされることになっているという前記決定は、前記アクセス端末に向けられているパケットを受け取ることを具備する、請求項37の方法。
【請求項５２】
加入者がもはやクローズドサブスクライバグループのメンバではないという表示子を受け取るように構成されている通信コントローラと、および
前記加入者に関連するアクセス端末がページされることになっていると決定するように構成されており、かつ、前記表示子の前記受取りと前記決定とに基づいて、前記クローズドサブスクライバグループに関連するアクセスポイントにおいて前記アクセス端末をページするようにさらに構成されているページングコントローラと
を具備する通信のための装置。
【請求項５３】
前記表示子は、前記アクセス端末におけるクローズドサブスクライバグループリストからの前記クローズドサブスクライバグループの識別子についての削除がペンディングであることを表示する、請求項52の装置。
【請求項５４】
前記表示子の前記受取りに基づいて、前記クローズドサブスクライバグループに関連するアクセスポイントにおける前記アクセス端末によるアクセスの試みを拒否するように構成されているアクセスコントローラをさらに具備する、請求項52の装置。
【請求項５５】
前記拒否の結果として、前記加入者についてクローズドサブスクライバグループ加入者情報から前記クローズドサブスクライバグループの識別子を削除するように構成されている加入者データマネージャをさらに具備する、請求項54の装置。
【請求項５６】
以下のことを行うように構成されている加入者データマネージャをさらに具備する、請求項52の装置：
前記表示子の前記受取りの結果として、タイマを設定することと、
前記タイマが満了したと決定することと、および
前記タイマの前記満了の結果として、前記加入者についてクローズドサブスクライバグループ加入者情報から前記クローズドサブスクライバグループの識別子を削除すること。
【請求項５７】
前記タイマの前記満了は、前記タイマの前記設定の後の所定の期間の間、前記クローズドサブスクライバグループに関連するどのアクセスポイントにもアクセスしない前記アクセス端末に依存する、請求項56の装置。
【請求項５８】
以下の手段を具備する通信のための装置:
加入者がもはやクローズドサブスクライバグループのメンバではないという表示子を受け取るための手段と、
前記加入者に関連するアクセス端末がページされることになっていると決定するための手段と、および
前記表示子の前記受取りと前記決定とに基づいて、前記クローズドサブスクライバグループに関連するアクセスポイントにおいて前記アクセス端末をページするための手段。
【請求項５９】
前記表示子は、前記アクセス端末におけるクローズドサブスクライバグループリストからの前記クローズドサブスクライバグループの識別子についての削除がペンディングであることを表示する、
請求項58の装置。
【請求項６０】
前記表示子の前記受取りに基づいて、前記クローズドサブスクライバグループに関連するアクセスポイントにおける前記アクセス端末によるアクセスの試みを拒否するための手段をさらに具備する、請求項58の装置。
【請求項６１】
前記拒否の結果として、前記加入者についてクローズドサブスクライバグループ加入者情報から前記クローズドサブスクライバグループの識別子を削除するための手段をさらに具備する、請求項60の装置。
【請求項６２】
前記表示子の前記受取りの結果として、タイマを設定するための手段と、
前記タイマが満了したと決定するための手段と、および
前記タイマの前記満了の結果として、前記加入者についてクローズドサブスクライバグループ加入者情報から前記クローズドサブスクライバグループの識別子を削除するための手段と
をさらに具備する、請求項58の装置。
【請求項６３】
前記タイマの前記満了は、前記タイマの前記設定の後の所定の期間の間、前記クローズドサブスクライバグループに関連するどのアクセスポイントにもアクセスしない前記アクセス端末に依存する、請求項62の装置。
【請求項６４】
加入者がもはやクローズドサブスクライバグループのメンバではないという表示子を受け取ることと、
前記加入者に関連するアクセス端末がページされることになっていると決定することと、および
前記表示子の前記受取りと前記決定とに基づいて、前記クローズドサブスクライバグループに関連するアクセスポイントにおいて前記アクセス端末をページすることと
をコンピュータにさせるためのコードを具備するコンピュータ可読媒体
を具備するコンピュータプログラム製品。
【請求項６５】
前記表示子は、前記アクセス端末におけるクローズドサブスクライバグループリストからの前記クローズドサブスクライバグループの識別子についての削除がペンディングであることを表示する、請求項64のコンピュータプログラム製品。
【請求項６６】
前記表示子の前記受取りに基づいて、前記クローズドサブスクライバグループに関連するアクセスポイントにおける前記アクセス端末によるアクセスの試みを拒否することを前記コンピュータにさせるためのコードをさらに具備する、請求項64のコンピュータプログラム製品。
【請求項６７】
前記コンピュータ可読媒体は、前記拒否の結果として、前記加入者についてクローズドサブスクライバグループ加入者情報から前記クローズドサブスクライバグループの識別子を削除することを前記コンピュータにさせるためのコードをさらに具備する、請求項66のコンピュータプログラム製品。
【請求項６８】
前記表示子の前記受取りの結果として、タイマを設定することと、
前記タイマが満了したと決定することと、
前記タイマの前記満了の結果として、前記加入者についてクローズドサブスクライバグループ加入者情報から前記クローズドサブスクライバグループの識別子を削除することと
を前記コンピュータにさせるためのコードをコンピュータ可読媒体がさらに具備する、請求項64のコンピュータプログラム製品。
【請求項６９】
前記タイマの前記満了は、前記タイマの前記設定の後の所定の期間の間、前記クローズドサブスクライバグループに関連するどのアクセスポイントにもアクセスしない前記アクセス端末に依存する、請求項68のコンピュータプログラム製品。
【発明の詳細な説明】
【関連出願の参照】
【０００１】
本件出願は、出願人が共通して所有する米国仮特許出願61/148,785（出願日2009年1月30日、代理人文書番号No.091099P1）、米国仮特許出願61/149,258（出願日2009年2月2日、代理人文書番号No.091159P1）、米国仮特許出願61/157,853（出願日2009年3月5日、代理人文書番号No.091577P1）、および米国仮特許出願61/160,954（出願日2009年3月17日、代理人文書番号No.091685P1）の利益および優先権を主張するものであって、各々の出願の開示は、参照によって本件明細書に組み込まれている。
【技術分野】
【０００２】
本件出願は、一般にワイヤレス通信に関係し、さらに詳細には、通信パフォーマンスの改善に関係するが、それだけに限られるものではない。
【０００３】
はじめに
ワイヤレス通信ネットワークは、ある所定の地理的エリアにおいて展開され、そのエリアの中のユーザに様々なタイプのサービス（例えば、音声、データ、マルチメディアのサービスなど）を提供する。ある典型的な実装において、ネットワークによってサービスされる地理的エリアの中で作動するアクセス端末（例えば、携帯電話）のためにワイヤレス接続を提供するために、ネットワーク全体にアクセスポイント（例えば、異なるセルごとに対応するアクセスポイント）が分散させられる。
【０００４】
高速レートのマルチメディアのデータサービスに対する需要が急速に増大するのに伴って、効率的で強健な通信システムを高いパフォーマンスで実装するというチャレンジが存在するようになっている。従来型のネットワークアクセスポイント（例えば、マクロのアクセスポイント）を補完することを目的として、さらに強健な室内ワイヤレスカバレッジまたはその他のカバレッジを移動体ユニットに供給するために、小規模カバレッジのアクセスポイントが展開されることができる（例えば、ユーザの家庭内への設置）。そのような小規模カバレッジのアクセスポイントは、例えば、フェムト・アクセスポイント、フェムトセル、ホームNodeB（HNB）、ホームeNodeB（HeNB）またはアクセスポイントベースステーションと呼ばれることがある。典型的には、そのような小規模カバレッジのベースステーションは、DSLルータまたはケーブルモデムを介してインターネットおよび携帯電話会社のネットワークに接続される。
【０００５】
実際上、１つのネットワーク中に比較的多数の小規模カバレッジのアクセスポイントが展開されることがある。このため、ページされている１つのアクセス端末が停止状態に移ったとき、ネットワークは、潜在的に多数のアクセスポイント（例えば、HNBおよびHeNB）にページメッセージを送らなくてはならないことになる。しかしながら、これらのアクセスポイントのうちの多くがアクセス制限を有している（例えば、クローズドサブスクライバグループ（CSG）セルを含んでいる）可能性がある。このようなことから、アクセス端末がアクセスすることを許されないアクセスポイントにページを送るというムダを避けるために、「ページング最適化」を採用することができる。例えば、ネットワークは、アクセス端末の登録トラッキングエリアID（TAI）リスト内にあるトラッキングエリアIDに関連し、かつ、アクセス端末の被許可CSGリスト（例えば、CDGホワイトリスト）内にあるCSG IDにも関連するアクセスポイントのアクセス端末のみをページすることができる。
【０００６】
このような「ページング最適化」に付随して生じる１つの潜在的問題は、CSG加入者情報（例えば、被許可CSGリスト）の、ネットワークおよびアクセス端末間の同期化との相互作用に関係する問題である。例えば、ある加入者がCSGから削除されても、アクセス端末が有している被許可CSGリストがしばらく更新されないことがある。ネットワークが更新されそしてこのCSGに関連するすべてのアクセスポイントにおいてネットワークがアクセス端末をページしない場合、当該アクセス端末は、このCSGについてアクセスポイント上で停止モードとなり、ページングについて到達不能になる、ということが起こりうる。別の例として、CSGへの加入期間が満了しても、アクセスポイントの被許可CSGリスト中のこのCSGに関するエントリーは、すぐには削除されないかもしれない。この場合、アクセス端末が、加入期間が満了しているとの決定をする前に停止モードにあるこのCSGに関するアクセスポイント上でキャンプしていると、当該アクセス端末は、ページングについて到達不能になることがある。
【０００７】
ページング最適化のさらなる潜在的問題は、期間満了CSGのCSG IDがどのくらいの期間、ネットワーク内に（例えば、サブスクリプションサーバ、モビリティマネージャなどの中に）格納されるべきかに関係する問題である。１つの可能性のあるアプローチは、CSG IDがアクセス端末リストから削除されてしまうまでCSG IDをネットワーク内に格納しておく （例えば、OMA-DM（open mobile alliance device management）更新またはOTA（over-the-air）更新によって） ことである。しかし、このようなアプローチは、CSG IDを削除するのにその都度OMA-DMまたはOTAを実行することを必要とする。
【０００８】
上で述べたように、ページング最適化は、アクセス端末がアクセスすることを許されないアクセスポイントにページを送らないようにするために採用されることができる。このことを達成する1つの方法は、ページ内にアクセス端末のホワイトリスト（例えば、CSGホワイトリスト）を含むことである。例えば、モビリティマネージャは、それが送出するページをフィルターするためにホワイトリストの知識を用いることができる。このように、ページング最適化は、モビリティマネージャにおいてオプション的に実行されることができる。別の例として、アクセスポイント・ゲートウェイ（例えば、HeNBゲートウェイ、HeNB-GW）が採用されている場合、アクセスポイント・ゲートウェイは、ページをフィルターするためにページ内に含まれているホワイトリストを用いることができる。このように、ページング最適化は、アクセスポイント・ゲートウェイにおいてオプション的に実行されることができる。さらに別の例として、ホワイトリストを中に含むページを受け取ると同時に、アクセスポイントが、無線でページを送信すべきかどうか決定するために、ホワイトリストを使用することもできる。このように、ページング最適化は、アクセスポイントにおいてオプション的に行われることができる。これは、モビリティマネージャまたはアクセスポイント・ゲートウェイがページング最適化を行なわない場合、有用であり得る。しかしながら、アクセスポイント（例えば、HeNB）が顧客デバイスである場合、アクセスポイントにホワイトリストを送ることは、セキュリティ上の問題を起こすのではないかという懸念が生じることがある。
【発明の概要】
【０００９】
本件開示の例示的態様の要約は、以下のとおりである。本件明細書における考察において、態様（aspects）という用語へのどのような言及も、本件開示の１つまたは複数の態様を指すことができる。
【００１０】
本件開示は、ある態様において、ページング最適化と、ネットワーク内および当該ネットワークにアクセスするアクセス端末内に格納されているCSG情報の同期化との間の相互作用によって生じる問題を軽減することに関係する。例えば、ある加入者がCSGから削除されるとき、またはCSGへの加入期間が満了するとき、ネットワークは、「当該加入者がもはやCSGのメンバではない」ということを表示する表示子を設定する。ある態様において、この表示子は、加入者に関連するアクセス端末において維持されているCSGリストからのCSG IDについての削除がペンディングであることを表示する。すなわち、その表示子は、当該加入者がもはやCSGのメンバではないことをネットワークが知っているにもかかわらず、当該加入者に関連するアクセス端末がこの事実を知らないでいることを表示する。そのような表示子が設定されているとき、ネットワークは、このCSGに関連するアクセスポイントにおいて当該アクセス端末を引き続きページすることができる。その結果、アクセス不許可（例えば、CSGのメンバーシップを最近失ったことによる不許可）のアクセスポイントにキャンプしているアクセス端末が、ページングについてまだ到達可能ということになる。しかしながら、当該加入者はもはやCSGのメンバではないので、ネットワークは、アクセス端末がそのようなアクセスポイントにアクセスすることを許可しないであろう。
【００１１】
本件開示は、いくつかの実施形態において、ある加入者がもはやCSGのメンバではないといったん決定されると、その加入者について加入者情報からCSG IDを削除するためのタイマベースのスキームに関係する。例えば、ネットワークは、加入者がもはやCSGのメンバではないということの決定と同時に、タイマを動かし始めることができる。当該加入者に関連するアクセス端末がタイマ満了前にCSGに関連するアクセスポイントにアクセスしない場合、ネットワークは、加入者情報からCSG IDを削除する。アクセスが許可されていない（例えば、CSGメンバーシップの喪失による不許可）アクセスポイントではアクセス端末がキャンプしないことを確実にするために、アクセス端末側でも、対応するタイマが使用される。例えば、アクセス端末がCSGに関連するアクセスポイントにアクセスする（例えば、再選択をする）とき、アクセス端末は、そのアクセスに先立つ所定の時間の間CSGに関連するいかなるアクセスポイントにもアクセス（例えば、再選択）をしていなかった場合、アクセスポイントにおいて登録をするように要求される。この例において、アクセス端末についてのタイマの周期は、ネットワークについてのタイマの周期より短い。このタイマベースのスキームを使用することによって、以下のことを確実なものにすることができる。すなわち、ネットワークが加入者情報からCSGIDを削除した後に（ネットワークタイマの動作によって）アクセス端末がCSGに関連するアクセスポイントに対して再選択をすると、アクセス端末は、ネットワークで登録をするように要求される、ということを確実なものにすることができる。この場合においてアクセス端末による登録がネットワークによって拒否されるので（CSG IDが削除されているため）、アクセス端末は、もはやCSGのメンバでないことを本質的に通知されることになる。したがって、アクセス端末は、CSGメンバーシップの喪失を理由としてアクセスすることが許可されないアクセスポイントでキャンプすることはない。
【００１２】
本件開示は、ある態様において、CSGの暫定メンバがCSGタイマの満了と同時に自分が今でもCSGのメンバであるかどうか決定することができるためのスキームに関係する。例えば、ネットワークおよびアクセス端末の両方が、CSGへの暫定加入期間がいつ満了するか決定するためにCSGタイマを維持することができる。しかしながら、アクセス端末のCSGタイマが満了した後にネットワークのCSGタイマが満了することもあり得ることである。したがって、アクセス端末のCSGタイマの満了と同時に、アクセス端末は、それがまだCSGのメンバであるかどうか決定するためのステップを取ることができる。例えば、アクセス端末は、アクセス端末に関する更新されたCSGリストを得るためにCSGリストサーバにアクセスすることができる。代替的に、アクセス端末は、CSGに関連するアクセスポイントにおけるアクセス（例えば、登録）を開始することができる。この場合、もしネットワークのタイマが満了していなければ、登録は成功であるのに対し、ネットワークのタイマが満了していれば、登録は拒否される。
【００１３】
本件開示は、ある態様において、アクセス端末が登録をする頻度の変更に関係する。例えば、タイマベースの暫定CSGメンバーシップスキームと共同して、アクセス端末のCSGタイマが満了した後もまだ自分がCSGのメンバであるとアクセス端末が決定したら、当該アクセス端末は、CSGに関連するアクセスポイントにおいて登録をする頻度を増加させることができる。このように、アクセス端末は、自分の加入期間が実際に満了する時を比較的短時間のうちに決定することができる。別の例として、アクセス端末は、入手可能なワイヤレスカバレッジに基づいて、登録をする頻度を変更することができる。この例の場合、ワイヤレスカバレッジがCSGセルまたはハイブリッドセルから唯一入手可能である場合、アクセス端末は、そのようなセルにおいて登録をする頻度を増加させることができる。反対に、ワイヤレスカバレッジが少なくとも1つの代替的セルから入手可能である場合、アクセス端末は、登録をする頻度を増加させない（例えば、減少させる）ことができる。
【００１４】
本件開示は、ある態様において、ページメッセージの宛先に依存して、ページメッセージの中に被許可CSGリスト（例えば、CSGホワイトリスト）を選択的に含むことに関係する。例えば、モビリティマネージャは、あるタイプのノード（例えば、アクセスポイント・ゲートウェイおよびeNodeBs）に送られるページの中には被許可CSGリスト情報を含み、一方、その他のタイプのノード（例えば、HeNBs）に送られるページの中には被許可CSGリスト情報を含まないようにすることができる。この場合、モビリティマネージャは、ページが向けられているノードのタイプを表すまたはそのようなノードにサポートされているCSGの数を表す情報を獲得し、次に、この獲得した情報に基づいて、被許可CSGリストを含めるべきかどうかの決定を行うことができる。また、アクセスポイント・ゲートウェイが、あるタイプのノード（例えば、eNodeBs）に送られるページの中に被許可CSGリスト情報を含み、一方、その他のタイプのノード（例えば、HeNBs）に送られるページの中には被許可CSGリスト情報を含まないようにすることもできる。
【図面の簡単な説明】
【００１５】
本件開示のこれらの態様およびその他の態様は、発明の詳細な説明およびそれに続く付属の特許請求の範囲、ならびに添付の図面において説明される。
【図１】図1は、通信システムのいくつかの例示的態様の単純化されたブロック図である。
【図２】図2は、LTEベースの通信システムのいくつかの例示的態様の単純化されたブロック図である。
【図３Ａ】図3Aは、加入者がもはやCSGのメンバではないという表示子の設定と共同して行うことができるオペレーションのいくつかの例示的態様の流れ図である。
【図３Ｂ】図3Bは、加入者がもはやCSGのメンバではないという表示子の設定と共同して行うことができるオペレーションのいくつかの例示的態様の流れ図である。
【図４】図4は、CSGから加入者を削除することと共同して行うことができる例示的オペレーションを図示する単純化されたコールフロー図である。
【図５】図5は、アクセス端末が自分のCSGリストをいったん更新するときに行うことができるオペレーションのいくつかの例示的態様の流れ図である。
【図６】図6は、CSG加入者情報からCSG IDを削除するタイマベースのスキームと共同するネットワークおよびアクセス端末におけるCSGタイマの相互作用を図示する簡略図である。
【図７】図7は、CSG加入者情報からCSG IDを削除するタイマベースのスキームと共同して行うことができるオペレーションのいくつかの例示的態様の流れ図である。
【図８】図8は、所定の期間の間にCSGのアクセスポイントにアクセスしなかったアクセス端末による登録の強制と共同して行うことができるオペレーションのいくつかの例示的態様の流れ図である。
【図９】図9は、アクセス端末の登録頻度を変更することと共同して行うことができるオペレーションのいくつかの例示的態様の流れ図である。
【図１０】図10は、アクセス端末におけるCSG加入タイマの満了の後にCSGの暫定メンバがまだCSGのメンバであるかどうか決定することと共同して行うことができるオペレーションのいくつかの例示的態様の流れ図である。
【図１１】図11は、アクセス端末にあるCSGリストの更新と共同して行うことができるオペレーションのいくつかの例示的態様の流れ図である。
【図１２】図12は、アクセス端末にあるCSGリストの更新と共同して行うことができるオペレーションのいくつかの例示的態様の流れ図である。
【図１３Ａ】図13Aは、ページメッセージの中に被許可CSGリストを含めるべきかどうか決定することと共同して行うことができるオペレーションのいくつかの例示的態様の流れ図である。
【図１３Ｂ】図13Bは、ページメッセージの中に被許可CSGリストを含めるべきかどうか決定することと共同して行うことができるオペレーションのいくつかの例示的態様の流れ図である。
【図１４】図14は、ページメッセージの中に被許可CSGリストを含めるべきかどうか決定することと共同して行うことができるオペレーションのいくつかの例示的態様の流れ図である。
【図１５】図15は、通信ノードにおいて使用されることができるコンポーネントのいくつかの例示的態様の単純化されたブロック図である。
【図１６】図16は、ワイヤレス通信システムの簡略図である。
【図１７】図17は、フェムトノードを含むワイヤレス通信システムの簡略図である。
【図１８】図18は、ワイヤレス通信のためのカバレッジエリアを図示する簡略図である。
【図１９】図19は、通信コンポーネントのいくつかの例示的態様の単純化されたブロック図である。
【図２０】図２0は、本件明細書において教示されているような機能性を提供するように構成されている装置のいくつかの例示的態様の単純化されたブロック図である。
【図２１】図２１は、本件明細書において教示されているような機能性を提供するように構成されている装置のいくつかの例示的態様の単純化されたブロック図である。
【図２２】図２２は、本件明細書において教示されているような機能性を提供するように構成されている装置のいくつかの例示的態様の単純化されたブロック図である。
【図２３】図２３は、本件明細書において教示されているような機能性を提供するように構成されている装置のいくつかの例示的態様の単純化されたブロック図である。
【図２４】図２４は、本件明細書において教示されているような機能性を提供するように構成されている装置のいくつかの例示的態様の単純化されたブロック図である。
【図２５】図２５は、本件明細書において教示されているような機能性を提供するように構成されている装置のいくつかの例示的態様の単純化されたブロック図である。
【図２６】図２６は、本件明細書において教示されているような機能性を提供するように構成されている装置のいくつかの例示的態様の単純化されたブロック図である。
【図２７】図２７は、本件明細書において教示されているような機能性を提供するように構成されている装置のいくつかの例示的態様の単純化されたブロック図である。
【００１６】
一般的慣行にしたがって、図面中に例示されている様々な特徴は、一定の尺度から外れて描かれている。したがって、様々な特徴の寸法は、明瞭さのために任意に拡張されているかもしれないし、縮小されているかもしれない。さらに、図面のうちのいくつかは、明瞭さのために単純化されているかもしれない。このように、図面は、与えられた装置（例えば、デバイス）または方法のすべてのコンポーネントを描いているとは限らない。最後に、明細書および図面を通じて、同様の特徴を表すために同様の参照番号が用いられている。
【発明の詳細な説明】
【００１７】
以下において、本件開示の様々な態様が説明される。本件明細書における教示が種々様々の形式において具体化可能であること、および本件明細書の中で開示されているいかなる構造、機能またはその両方が単なる代表例であることは明白である。本件明細書における教示に基づいて、当業者は、本件明細書開示の態様がその他の態様と独立的に実装可能であること、およびこれらの態様のうちの２つまたはそれ以上のものが様々な方法で組み合わせられることができることを認識するはずである。例えば、本件明細書に記述されている態様のうち任意の数の態様を用いることによって、装置または方法を実装または使用することができる。さらに、そのような装置または方法は、本件明細書に記述されている１つまたは複数の態様に加えて、またはそれらの態様以外に、その他の構造、機能または構造および機能の両方を用いることによって、実装または使用することも可能である。さらに、ある態様は、ある請求項の少なくとも1つの要素を具備するものであってもよい。
【００１８】
図1は、例示的通信システム100のいくつかのノード（例えば、通信ネットワークの一部）を説明している。例示目的のために、本件開示の様々な態様は、互いに他と通信をする１つまたは複数のアクセス端末、アクセスポイントおよびネットワークノードの文脈において説明することとする。しかしながら、本件明細書における教示は、その他の用語を用いて言及されるその他のタイプの装置またはその他の同様の装置に対しても適用可能であることが認識されるべきである。例えば、様々な実装において、アクセスポイントは、ベースステーション、NodeB、eNodeB、セルなどと呼ばれ、またはそのようなものとして実装されることが可能であり、他方、アクセス端末は、ユーザ設備、移動体などと呼ばれ、またはそのようなものとして実装されることが可能である。
【００１９】
システム１００内のアクセスポイントは、その内部にインストールされることが可能な、またはシステム１００のカバレッジエリア全体でローミングを行うことが可能な、１つまたは複数のワイヤレス端末（例えば、アクセス端末102）のために、１つまたは複数のサービス（例えば、ネットワーク接続）を提供する。例えば、様々な時点において、アクセス端末102は、アクセスポイント104、アクセスポイント106またはその他の何らかのアクセスポイント（不図示）へつながることができる。
【００２０】
広域ネットワーク接続性を容易化するために、各々のアクセスポイントは、１つまたは複数のネットワークノード（便宜上、ネットワークノード108によって代表されている）と通信をすることができる。ネットワークノード108は、例えば、１つまたは複数の無線（radio）のおよび／またはコアのネットワークエンティティのような様々な形式をとることができる。このように、様々な実装において、ネットワークノード108は、次のうちの少なくとも1つのような機能性を代表することができる。すなわち、ネットワーク管理（例えば、オペレーション、アドミニストレーション、マネジメントおよびプロビジョニングのエンティティによるネットワーク管理）、コール制御、セッション管理、モビリティ管理、ゲートウェイ・ファンクション、インターワーキング・ファンクション、サブスクリプションサーバ・ファンクション、CSG管理ファンクション、またはその他の何らかの適切なネットワーク機能性。ある態様において、モビリティ管理は、トラッキングエリア、位置エリア、ルートエリアまたはその他の何らかの適切な技術を用いることによってアクセス端末の現在位置の追跡をすることと、アクセス端末のためにページングを制御することとに関係する。また、これらのネットワークエンティティのうちの２つまたはそれ以上のものは、ネットワーク内の同じ位置に配置する、または分散させることができる。
【００２１】
図1は、本件明細書における教示と共同してシステム１００内の様々なノードにおいて使用されることができる機能性の例示的態様を図示している。本件開示のこれらの態様は、次のように、図３ないし１４と共同して以下において説明される。
【００２２】
ある実装において、１つまたは複数のネットワークエンティティは、CSG表示子管理機能性１１０を提供し、この機能性によって、例えば、加入者がもはやCSGのメンバではないことを表示するネットワークベースの表示子を設定し、使用することができる。本件開示のこの態様は、図3Aないし５において詳細に説明される。
【００２３】
ある実装において、アクセス端末102は、周期的CSG登録機能性120を提供し、この機能性によって、アクセス端末が所定の期間の間そのようなアクセスポイントにアクセスしなかったことを条件として、アクセス端末がCSGに関連するアクセスポイントにおいて登録をするよう強制することができる。さらに、１つまたは複数のネットワークエンティティは、タイマベースのCSG ID削除機能性112を提供し、この機能性によって、アクセス端末がタイマの満了の前にCSGに関連するアクセスポイントにアクセスをしなかったことを条件として、CSG IDがCSG加入者情報から削除される。本件開示のこの態様は、図6ないし8において詳細に説明される。
【００２４】
ある実装において、アクセス端末102は、登録頻度制御機能性122を提供し、この機能性によって、登録をする頻度を様々な基準に基づいて変更することができる。本件開示のこの態様は、図9において詳細に説明される。
【００２５】
ある実装において、アクセス端末102は、タイマベースのCSGリスト更新機能性118を提供し、この機能性によって、アクセス端末において維持されているCSGリスト116を更新することができる。この例において、CSGへの加入期間が満了したことをタイマが表示する場合、アクセス端末は、自分が当該CSGに関連するアクセスポイントにまだアクセスすることができるかどうかを確認するために様々なアクションを始めることができる。本件開示のこの態様は、図１０ないし１２において詳細に説明される。
【００２６】
ある実装において、１つまたは複数のネットワークエンティティは、CSGリスト制御機能性114を提供し、この機能性によって、被許可CSGリスト情報が、ページメッセージのための宛先に基づいて選択的にページメッセージの中に含められる。本件開示のこの態様は、図13Aないし１４において詳細に説明される。
【００２７】
例示目的のために、本件開示の様々な態様は、LTEベースのネットワークの文脈において説明される。図2は、本件明細書において教示されているような機能性を提供するためにLTEベースのネットワーク200中で使用される例示的コンポーネントを図示している。
【００２８】
ユーザ設備（UE）202は、ワイヤレス信号によってHeNB 204と通信をする（例えば、E-UTRAプロトコルによる）。HENB 204は、ライン208によって表わされているようなS1-MMEプロトコルによってモビリティ管理エンティティ（MME）206と通信をすることができる。HeNB 204はまた、ライン212によって示されているようなS1-Uプロトコルによってサービングゲートウェイ（SGW）210と通信をすることもできる。ある実装において、HeNBは、1つまたは複数のHeNBGWによってコアネットワークコンポーネントに接続されることができる。したがって、オプションのHeNBGW 214は、シグナリングパス208および212において幻影線で表わされている。
【００２９】
MME 206は、ライン216によって示されているようなS11プロトコルによってSGW 210と通信をすることができる。MME 206はまた、ライン220によって示されているようなS6aプロトコルによってホーム加入者サーバ（HSS）218と通信をすることもできる。
【００３０】
HSS 218は、例えば、ネットワーク200中の加入者の各々のために加入者情報（例えば、CSG加入者情報）を管理するデータベースを具備する。HSS 218は、ネットワーク200のためにCSG情報を維持し更新することを容易化するために、CSG管理コンポーネントと通信をする。例えば、HSS 218は、CSG管理サーバ222およびCSGリストサーバ224と通信をすることができる。CSG管理サーバ222は、例えば、CSGマネージャ（例えば、HeNBの所有者）が、与えられたCSGに／から加入者（例えば、加入者に関連するアクセス端末）を加える／削除することを可能にする機能性を提供することができる。CSGリストサーバ224は、ネットワーク200中の加入者のためにCSGリストを管理することができる。例えば、加入者がCSGに加えられるまたはCSGから削除されるときは必ず、CSGリストサーバは、UEで維持されているCSGリスト（例えば、被許可CSGリスト）を更新するためにネットワーク200中のUEと通信をすることができる。点線226によって表わされているように、UE 202は、OMA-DMプロトコルまたはOTAプロトコルによってCSGリストサーバ224と通信をすることができる。すなわち、UE 202は、HeNB 204またはネットワーク200（図2には不図示）中のその他の何らかのアクセスポイントによってCSGリストサーバとの通信リンクを確立することができる。
【００３１】
SGW 210は、ライン230によって示されているようにS5またはS8プロトコルによってパケットデータ・ネットワーク・ゲートウェイ（PGW）228と通信をすることができる。PGW 228は、ライン236および238によってそれぞれ示されているようなインターネット232およびSGiプロトコルによるIPマルチメディアサブシステム（IMS）234のようなパケットデータ・ネットワークエンティティと通信をすることができる。また、PCRF機能（a policy and charge rules function）240は、ライン242によって示されているようなGxプロトコルによるPGW 228およびライン244によって示されているようなRxプロトコルによるIMS 234と通信をすることができる。
【００３２】
本件明細書における教示が様々なタイプのネットワークの中で実装可能であることが認識されるべきである。例えば、ある態様において、MMEおよび／またはSGWによって行われるものとして本件明細書で説明されている機能性は、MSC/VLR （モバイル交換センタ／ビジタ・ロケーション・レジスタ）および／またはSGSN(サービングGPRSサポートノード）によってUMTSシステム内で行われることができる。また、ある態様において、HSSによって行なわれるものとして本件明細書で説明されている機能性は、ホーム・ロケーション・レジスタ（HLR）によってUMTSシステム内で行なわれることができる。
【００３３】
次に図3A−5を参照し、加入者がCSGのメンバーシップを失うときに行われる例示的オペレーションについて説明する。そのようなメンバーシップの喪失は、様々な方法で生じ得る。例えば、ある場合において、加入者がCSGから削除される（例えば、図4において説明されているように）。ある場合において、CSGへの加入期間が満了する。例えば、加入期間が所定の期間の後または特定の時刻に満了する場合、このような加入者をCSGの暫定メンバということができる。
【００３４】
上で言及したように、一定の時間が経過した後に、加入者に関連するアクセス端末は、加入者がもはやCSGのメンバではないことを発見する。その結果、アクセス端末において維持されているCSGリスト（例えば、被許可CSGリスト）は、しばらくの間、更新されない。この場合、アクセス端末が当該CSGに関連するアクセスポイント上でキャンプをすると、アクセス端末は到達不能になる。というのは、いったんメンバーシップが無効になると、ネットワークは、当該CSGに関連するアクセスポイントにおけるアクセス端末のページングを通常停止するからである。
【００３５】
この問題に対処するために、本件明細書における教示にしたがって、ネットワークは、加入者がCSGから削除された後またはCSGへの加入期間が満了した後にCSGにおけるアクセス端末をページするべきどうかをネットワークが知ることができるように表示子を設定することができる。ある実装において、この表示子は、加入者に関するCSG加入情報（すなわち、加入者情報）の中に格納されることができる（この表示子は例えばHSSとMMEの間で交換される）。ある実装において、この表示子は、CSG状態として定義されるフィールドを具備する。
【００３６】
ある実装において、表示子（例えば、CSG状態）は、2つの可能な値を持つと定義される。加入者がもはやCSGのメンバではない（例えば、CSGから削除されたまたは加入期間が満了した）といったん決定されるとき「削除ペンディング」値が設定される。「アクティブ」値は、デフォルト値であることができる。
【００３７】
この表示子スキームの使用により、いくつかの利点が得られることができる。上で考察されているように、ネットワークは、加入の変更が生じた後にCSGに関連するアクセスポイント上でキャンプしていることを理由としてアクセス端末がページングについて到達不能となる事態を回避することができる。さらに、そのようなスキームは、CSG加入情報が変化するときアクセス端末にあるCSGリストを更新することに関係するネットワーク上のプロビジョニング要求を少なくすることもできる。例えば、オペレーターは、加入についての変更後すぐにはCSGリストを更新する必要がない。その代わりに、オペレーターは、あるスケジュール（例えば、日ごと、週ごと、月ごとに）に基づいて、またはその他の何らかの様態で、アクセス端末のCSGリストを更新することを選択することもできる。
【００３８】
さて次に、本件明細書において教示されているようなCSG表示子の設定および使用に関係する例示的オペレーションについて、図3Aおよび3Bの流れ図とともにさらに詳細に説明する。便宜上、図3Aおよび3Bのオペレーション（または本件明細書において考察または教示されているその他の何らかのオペレーション）は、特定のコンポーネント（例えば、図1、2、または15のコンポーネント）によって行なわれるものとして説明されることができる。しかしながら、これらのオペレーションは、その他のタイプのコンポーネントによって行うことができるし、また異なる数のコンポーネントを使用して行うこともできるということが認識されるべきである。本件明細書記載のオペレーションの1つまたは複数は、与えられた実装において使用されなくてもよいということもまた認識されるべきである。
【００３９】
図3Aのブロック302によって表わされているように、ある時点において、ネットワークエンティティ（例えば、HSSまたはHLR）は、加入者がもはやCSGのメンバではないと決定する。例えば、ネットワークエンティティは、ある加入者がCSGから削除されたことを表示するメッセージをCSG管理サーバから受け取ることができる。代替的に、ネットワークエンティティは、ある加入者についてCSGへの加入期間が満了したと決定することができる（例えば、ネットワークのタイマの満了によって）。
【００４０】
ある態様において、「加入者」（subscriber）という語は、アクセス端末に対応する。例えば、「加入者」という語は、ある特定のCSGに関連するアクセスポイントにアクセスすることを許されているアクセス端末を所有する人または使用する人を指すことがある。ある態様において、アクセス端末は、加入者である（例えば、加入者を含む）と考えられることができる。このように、もはやCSGのメンバでない加入者に言及する場合、この言及は、ある意味において、ある特定のアクセス端末（単数または複数）がもはや当該CSGのメンバではないということも意味している。
【００４１】
ブロック304によって表わされているように、ブロック302の決定に応答して、ネットワークエンティティは、加入者がもはやCSGのメンバではないことを表示する表示子を設定する。例えば、ネットワークエンティティは、状態を「削除ペンディング」値に設定すること、またはその他の何らかの様態で表示子を提供することができる。ある実装において、表示子の設定と共同して、ネットワークエンティティは、表示子の設定を反映するために、ネットワークエンティティで維持されている加入者についてCSG加入者情報を更新することができる。ある態様において、表示子の設定は、１つまたは複数の特定のアクセス端末にあるCSGリストからの対応するCSG IDについての削除がペンディングであることを表示する。
【００４２】
ブロック306によって表わされているように、ネットワークエンティティは、モビリティマネージャ（例えば、MME、SGSN、MSCなど）に表示子を送る。例えば、ネットワークエンティティは、ブロック304において更新された加入者のCSG加入者情報をモビリティマネージャに送ることができる。
【００４３】
ブロック308によって表わされているように、ネットワークエンティティは、加入者に対応するアクセス端末にあるCSGリストの更新を開始するメッセージをオプション的に送ることができる。例えば、ネットワークエンティティは、アクセス端末にあるCSGリストの更新のためにアクセス端末と通信をすることをCSGリストサーバにさせるためのメッセージをCSGリストサーバに送ることができる。
【００４４】
ブロック310によって表わされているように、モビリティマネージャは、ブロック306において送られた表示子を受け取る。ある実装において、モビリティマネージャは、モビリティマネージャにおいて維持されている加入者に関するCSG加入者情報を更新し、その更新によって、表示子の受取り（例えば、CSG加入者情報における更新されたCSG状態の受取り）を反映することができる。
【００４５】
ブロック312によって表わされているように、ある時点において、モビリティマネージャは、アクセス端末がページされることになっていると決定することができる。例えば、ある実装において、モビリティマネージャは、アクセス端末がページされることになっていることを表示するメッセージ（例えば、SGWからのメッセージ）を受け取ることができる。ある実装において、モビリティマネージャ（例えば、SGSN）は、アクセス端末に向けられているパケットを受け取ることができる。
【００４６】
図3Bのブロック314によって表わされているように、モビリティマネージャは、ブロック312の決定とブロック310における表示子の受取りとに基づいて、アクセス端末をページすることができる。特に、モビリティマネージャは、アクセス端末（加入者）がもはやメンバでないCSGに関連するアクセスポイントにおいてアクセス端末をページすることができる。すなわち、表示子を受け取ると同時に、モビリティマネージャは、たとえアクセス端末がもはやCSGのメンバではないにせよ、このCSGに関連するアクセスポイントにおいて自分がアクセス端末をページすることになっていることを知る。
【００４７】
アクセス端末のためにページが向けられるべきアクセスポイントを識別することにおいて、その他の基準が考慮に入れられることもできることが理解されるべきである。例えば、アクセス端末（例えば、アクセス端末のTAIリストにリストされているもの）に関連しているTAI（またはその他の何らかの適切な表示子）にも関連しているアクセスポイントに対してのみ、ページが送られることができる。このように、MMEは、そのアクセス端末のために表示子が設定されている（例えば、CSG状態が「削除ペンディング」に設定されている）すべてのCSGにおいてアクセス端末をページすることができる。またアクセス端末がキャンプしている場所をTAIに告知することができる。
【００４８】
ブロック316によって表わされているように、ある時点において、アクセス端末は、アクセス端末がもはやメンバでないCSGに関連するアクセスポイントにアクセスすることを試みるかもしれない。例えば、アクセス端末は、CSGにおいてすでにページされたかもしれないし、または自動または手動の再選択に基づいてアクセスを試みるかもしれない。アクセス端末のCSGリストはまだ更新されていないので、アクセス端末は、アクセスポイントのカバレッジ内にいるとき、自分はそのようなアクセスポイントにアクセスすることが許されているとまだ決定するかもしれない。したがって、アクセス端末は、そのアクセスポイントにおいてアクセスを試みるかもしれない。しかしながら、ブロック310において受け取られた識別子に基づいて、モビリティマネージャは、アクセス端末が当該CSGに関連するどのアクセスポイントにもアクセスすることが許されないということを知る。したがって、モビリティマネージャは、アクセス端末によるアクセスの試みを拒否する（例えば、アクセス端末がこのCSGについて認可されていないことを表示する拒否メッセージを送ることによって）。
【００４９】
ブロック318によって表わされているように、アクセス端末は、この拒否に基づいて、アクセス端末において維持されているCSGリストを更新することができる。例えば、拒否メッセージを受け取ると同時に、アクセス端末は、それがもはや対応するCSGのメンバではないと決定することができる。このように、この場合において、アクセス端末CSGリストは、OMA-DM、OTAまたはその他の何らかのプロトコルであって、CSGリストサーバと通信をするためのものを使用することなく更新されることができる。
【００５０】
ブロック320によって表わされているように、モビリティマネージャは、拒否の結果として、モビリティマネージャで維持されている加入者についてのCSG加入者情報を更新することができる。例えば、モビリティマネージャは、CSG加入者情報から、対応するCSG IDを削除することができる。
【００５１】
ブロック322によって表わされているように、モビリティマネージャは、拒否の結果として、ネットワークエンティティにメッセージを送ることもできる。例えば、モビリティマネージャは、対応するCSG IDが、加入者に関するCSG加入者情報から削除されるかもしれないことを表示するメッセージを送ることができる。
【００５２】
ブロック324によって表わされているように、ネットワークエンティティは、次に、ブロック322において送られたメッセージに基づいて、ネットワークエンティティで維持されている加入者についてCSG加入者情報を更新することができる。例えば、ネットワークエンティティは、CSG加入者情報から、対応するCSG IDを削除することができる。
【００５３】
図4は、CSGからの加入者の削除と共同して行うことができるオペレーションのコールフローのさらに詳細な一例を描いている。特に、この例は、LTEまたはUMTSシステムの文脈において説明されている。
【００５４】
ステップ1において、CSGマネージャは、CSGから加入者を削除せよとの要求をCSG管理サーバに送る。例えば、CSGマネージャは、安全なユーザ識別子およびパスワードを使用して、ウェブページにログインし、彼または彼女のCSGのためにウェブページ上のタブをクリックし、加入者（例えば、アクセス端末）のサーチを行ない、削除されるべき加入者を選ぶことができる。
【００５５】
ステップ2において、CSG管理サーバは、HSSに格納されている加入者の被許可CSGリストを更新するために、HSSまたはHLR（以後、便宜上単にHSSと呼ばれる）と通信をする。アクセス端末上の被許可CSGリストは、CSGが削除されたことを表示するようにはまだ更新されていないので、CSG管理サーバが、加入者が削除されたことをHSSに表示するようにしてもよい（例えば、このエントリーに関するCSG状態は「削除ペンディング」に設定されることができる）。ある実装において、CSG管理サーバは、被許可CSGリストを更新するために、加入者のためにHSSにアクセスする。ローミングの場合、CSGが加入者のHSSへアクセスする位置にあるかまたはCSG加入情報がその他の何らかの様態で処理されるとき、訪れられたネットワークのCSG管理サーバを可能にするためにプロビジョンが行なわれる。
【００５６】
ステップ3において、HSSは、加入者についてのCSG加入者情報を更新する（例えば、CSG状態を「削除ペンディング」に設定する）。さらに、アクセス端末が現在、MMEまたはSGSN（以後、便宜上単にMMEと呼ばれる）においてアタッチされている場合、HSSは、加入者に関するCSGについての新規のCSG状態を表示する「加入者データ（IMSI、CSG加入データ）挿入」のメッセージをMMEに送る（例えば、被許可CSGリスト中において）。ステップ4において、MMEは、「加入者データ挿入ACK」のメッセージをHSSへ返す。
【００５７】
ステップ5において、HSSは、加入者が削除されたことをCSG管理サーバに確認する。ステップ6において、CSG管理サーバは、加入者が削除されたことをCSGマネージャに確認する。
【００５８】
ステップ7において、HSSは、アクセス端末上のCSGリスト（例えば、被許可CSGリスト）の更新のために、アクセス端末がもはやCSGのメンバでないことをCSGリストサーバに通知する。ステップ8において、CSGリストサーバおよびアクセス端末は、アクセス端末のCSGリストのアプリケーションレベルの更新を実行する（例えば、OTAまたはOMA-DM手続を使用して実行する）。ステップ9において、CSGリストサーバは、CSGリストが成功裡に更新されたとHSSに通知する。HSSは、次に、CSGがCSGリストから削除されたことを表示する「加入者データ（IMSI、加入データ）挿入」のメッセージをMME（不図示のコールフロー）に送ることができる。
【００５９】
図3のコールフローは、停止モードまたは接続モードのアクセス端末に当てはまる。停止モードの場合、アクセス端末をページすることと、ステップ8を行なうための接続を確立することとが必要である。
【００６０】
図5は、アクセス端末が自分のCSGリストを更新したことをネットワークが知るときに行われるいくつかのオペレーションを説明するものである。例えば、ネットワークエンティティおよびモビリティマネージャにおけるCSG加入者情報は、対応するCSG IDを削除するために更新されることができる。また、適用可能な場合、CSG表示子は、再設定されることができる（例えば、CSG状態がアクティブに設定される）。
【００６１】
ブロック502によって表わされているように、ある先の時点において、ネットワークエンティティが、加入者がもはやCSGのメンバでないと決定し、対応する表示子を設定した。このように、ある態様において、これらのオペレーションは、ブロック302および304においてすでに説明されたオペレーションに対応することができる。
【００６２】
ブロック504によって表わされているように、ある時点において、加入者に対応するアクセス端末は、CSGのためにCSG IDを削除するためにアクセス端末において維持されているCSGリストを更新する。このアクションは、様々なイベントがトリガとなって起きることができる。ある場合において、アクセス端末は、CSGのアクセスポイントにおいて拒否されると同時に自分のCSGリストを更新することができる（例えば、上のブロック318において考察されているように）。ある場合において、アクセス端末は、更新されたCSG情報（例えば、更新された被許可CSGリスト）を得るためにCSGリストサーバと通信をすることができる。例えば、アクセス端末は、アクセス端末のCSGリストをネットワークのCSGリストと同期させるために、アプリケーションレベルの更新を行なう（例えば、OMA-DM手続またはOTA手続を使用して）ことができる。上のブロック308において考察されているように、この更新は、ネットワークによって開始されることができる。例えば、アクセス端末についてのCSGリスト情報を更新すると同時に、CSGリストサーバは、アクセス端末にあるCSGリスト情報も更新するためにアクセス端末との通信を開始することができる。その他の場合においても、アクセス端末は、そのような通信を開始することができる。
【００６３】
ブロック506によって表わされているように、ある時点において、ネットワークエンティティは、アクセス端末が自分のCSGリストを更新したという表示子を受け取る。この表示子は、様々な方法で受け取られることができる。ある場合において、ネットワークエンティティは、CSGについてのアクセスポイントにおけるアクセス端末によるアクセスの試みをモビリティマネージャが拒否したことを表示するメッセージをモビリティマネージャから受け取る（例えば、上のブロック322において考察されているように）。ある場合において、ネットワークエンティティは、アクセス端末が自分のCSGリストを更新したことを表示するメッセージをCSGリストサーバまたはその他の何らかのネットワークエンティティから受け取る。
【００６４】
ブロック508によって表わされているように、ネットワークエンティティは、次に、ブロック506における表示子の受取りの結果として、ネットワークエンティティにおいて維持されている加入者についてCSG加入者情報を更新することができる。例えば、ネットワークエンティティは、CSG加入者情報から、対応するCSG IDを削除することができる。さらに、ある実装において、ネットワークエンティティは、格納されている表示子の値を再設定する（例えば、CSG加入者情報に格納されているCSG状態の値を再設定する）ことができる。
【００６５】
ブロック510によって表わされているように、ネットワークエンティティは、ブロック506における表示子の受取りの結果としてモビリティマネージャにメッセージを送ることができる。例えば、ネットワークエンティティは、加入者についてのCSG加入者情報から、対応するCSG IDが削除されることを要求するメッセージを送る（例えば、モビリティマネージャに更新されたCSG加入者情報を送ることによって送る）ことができる。
【００６６】
ブロック512によって表わされているように、モビリティマネージャは、次に、ブロック510において送られたメッセージに基づいて、モビリティマネージャにおいて維持されている加入者についてCSG加入者情報を更新することができる。例えば、モビリティマネージャは、CSG加入者情報から、対応するCSG IDを削除することができる。さらに、ネットワークエンティティは、格納されている表示子の値（例えば、CSG状態）を再設定することができる。
【００６７】
次に図６ないし８を参照して、ある場合において、加入者は、CSGに対する暫定メンバーシップを与えられる（例えば、CSGマネージャによって）ことができる。そのような暫定メンバーシップは、例えば、特定の時刻または当該メンバーシップ確立後所定の期間の後に満了することができる。したがって、メンバーシップの満了は、CSGタイマとCSG加入者情報の中に格納されている満了時刻情報とを使用することによってネットワークによって追跡されることができる。
【００６８】
CSG加入者情報の中の満了時刻情報を使用することは、加入者がCSGから削除されたときまたはタイマが満了したときにMMEがアクセス端末を正しくページすることができることを確実にすることを可能にする。例えば、CSG満了時刻をある満了値に設定することは、アクセス端末がCSGから削除された後またはCSGが暫定メンバーシップに関して満了した後、アクセス端末が自分の被許可CSGリストを更新していないことを表示する。
【００６９】
CSGタイマの機能性および満了時刻情報は、ネットワークの中の多数のノード（またはエンティティ）において提供されることができる。例えば、HSSおよびMMEにおいて、別々のタイマが維持されることができる。この場合において、暫定メンバ（加入者）がCSGに付加されるとき、HSSは、MMEに満了時刻情報を送る（例えば、暫定メンバ加入者に関するCSG加入者情報によって）ことができる。
【００７０】
HSSは、自分のCSGタイマが満了したことをMMEに通知してもよく、または通知しなくてもよい。例えば、この情報を送らないことによって、エンティティ間の通信の量は、低減されることができる。しかしながら、HSSは、HSSがMMEに送るCSG加入者情報の中に満了時刻とともにCSG IDをまだ含めることができる。
【００７１】
MMEは、CSGのアクセスを制御するために自分のCSGタイマを使用する。例えば、アクセス端末がCSGに関連するアクセスポイント（例えば、CSGセル）にアクセスするとき、MMEは、アクセスポイントのCSG IDが当該アクセス端末（加入者）についてCSG加入者情報内のCSG IDに対応することをチェックし、また満了時刻（もしあれば）がまだ有効である（例えば、満了していない）こともチェックすることができる。
【００７２】
本件明細書において考察されているように、アクセス端末がCSGにおいてページされること、アップリンクデータ転送を開始すること、移動体由来コールを開始すること、またはLAU/RAU/TAU手続等の登録手続（例えば、自動的または手動の再選択によってトリガされる登録手続）を開始することを原因としてメンバ限定のCSGアクセスポイント（例えば、メンバ限定のCSGセル）にアクセスする場合において、もしCSG IDがCSG加入者情報の中になかったら、またはタイマが満了していたら、MMEは、適切な誤りコードと一緒に拒否のメッセージを送ることができる。アクセス端末は、次に、自分のCSGリストからこのCSGに関するエントリーを削除することができる。
【００７３】
CSGへの加入期間が満了しても、アクセス端末のCSGリスト中のこのCSGに関するエントリーがまだ削除されていないということがあるかもしれないし、またそれでアクセス端末が、停止モードの当該CSGに関するCSGセル上でキャンプをすることがあるかもしれない。本件明細書において考察されているようにページング最適化が行われるときページがアクセス端末に確実に到着するように、MMEは、CSG加入者情報の中にあるすべてのCSGにおいてアクセス端末をページすることができる。また、アクセス端末がキャンプしている場所をTAIに告知することができる。このページングは、MMEによって格納されているCSG加入期間が満了しているかどうかにかかわらず、行なわれることができる。
【００７４】
本件開示は、ある態様において、ネットワーク（例えば、HSSとMME）が期間満了CSGのCSG IDをどのくらい長い期間格納（例えば、加入者に関するCSG加入者情報の中に格納）しておくかをコントロールするスキームに関係する。この場合において、CSG加入者情報を維持しているネットワークエンティティは、第1の所定の期間に関連する第1のタイマの満了と同時に、与えられた加入者についてCSG加入者情報からCSG IDを削除することができる。これらのオペレーションと共同して、第2のタイマがアクセス端末において使用される。このタイマの使用によって、アクセス端末がCSGに関連するどのアクセスポイントにおいてもあまり長い間（例えば、第2の所定の期間）キャンプをすることがなく、かつ、その間にこれらのアクセスポイントの１つにおいて登録を試みることもないということを確実なものにすることができる。このスキームを使用することによって、アクセス端末は、当該アクセス端末についてCSG加入者情報からCSG IDをタイマ導入スキームによって削除した後これらのアクセスポイントの1つの上でキャンプをすることがないようにされることができる。
【００７５】
図6は、上で考察された2つのタイマの間の例示的関係を図示している。この図において、T1はネットワークにおいて使用され、T2はアクセス端末において使用されている。
【００７６】
このスキームにおいて、アクセス端末は、あるCSGについて所定の期間に間どのアクセスポイントにおいても登録をしていなかったら、当該CSGについてアクセスポイントにおいて登録をするように要求される。さらに、HSSおよびMMEは、時間T1（例えば、T1=1日）の間、期間満了CSG情報を維持するように要求される。図6において示されているように、アクセス端末（加入者）がもはやCSGのメンバではない（例えば、CSGからの削除または加入期間の満了による）との決定と同時に、時間T1が始まる。アクセス端末が少なくとも時間T1のうちにそのようなアクセスポイントにアクセスしていなかったときは常にアクセス端末がCSGのアクセスポイントにおいて登録をするように要求される限り、その後、時間T1の後、ネットワークは、当該アクセス端末についてCSG加入者情報から当該CSGに関する CSG IDを安全に削除することができる。
【００７７】
第2の時間T2（ここでT1>T2）は、少なくとも時間T２のうちにアクセス端末が当該CSGのアクセスポイントを見ていない場合にアクセス端末が登録を要求されるように採用されている。例えば、図6に示されているように、T2のためのタイマは、アクセス端末によってCSGのアクセスポイントに送られた最後の非アクセス層（NAS）メッセージにおいて始まることができる。もしアクセス端末が時間T 2満了前に当該CSGのアクセスポイントにアクセスしなかったら（例えば、NASメッセージを送らなかったら）、アクセス端末は、アクセスポイントに再選択をするとき、そのようなアクセスポイントにおいて登録をするように要求される。アクセスポイントは、時間T1の間アクセス端末をまだページし、その結果、時間T2を誤計算するアクセス端末は、最大で時間T1―T2までオフであることができ、ページングについてまだ到達可能である。
【００７８】
もしアクセス端末が時間T2の完了前にCSGに再選択をしたら、アクセス端末は、登録をすることを要求されず、ページされる。登録をするアクセス端末は、拒否され、本件明細書において考察されているように自分のCSGリストからCSG IDを削除する。時間T2の満了後にCSGに再選択をするアクセス端末は、必ず登録をし、そして拒否され、自分のCSGリストからCSG IDを削除する。
【００７９】
図7は、ネットワークにおいて加入者に関するCSG情報を削除するタイミングを決定するためにCSGタイマを使用することと共同してネットワークにおいて行われることができる例示的オペレーションを説明している。特記されている場合を除いて、これらのオペレーションは、複数のネットワークエンティティにおいて（例えば、HSSおよびMMEにおいて）行われることができる。
【００８０】
ブロック702によって表わされているように、ある時点において、加入者がもはやCSGのメンバでない（例えば、削除または加入期間の満了による）と決定される。例えば、上のブロック302および306において考察されているように、HSSは、CSGマネージャから適切な表示子を受け取ることができる。または、MMEがHSSから適切な表示子を受け取ることができる。
【００８１】
ブロック704によって表わされているように、ブロック702の決定の結果として、CSGタイマが設定される（例えば、始められる）。このように、図6の例において、時間T1が始まる。この例において、ネットワーク（例えば、HSSおよびMME）は、例えば、最大で所定の時間（図6の時間T1）までの間、加入者に関するCSG加入情報の中でCSGに関するCSG IDを維持することができる。
【００８２】
ブロック706によって表わされているように、CSGタイマが満了したことは、後になって決定される。例えば、加入者に関するアクセス端末が、タイマの設定の後の所定の時間の間、CSGに関連するどのアクセスポイントにもアクセスしなかったということが決定される。この場合において、アクセスは様々な形式をとることができる。ある場合において、アクセスは、NASメッセージを送ることとして定義される。例えば、アクセス端末がアクセスポイントにNASメッセージをまだ送っていないという決定は、アクセス端末がアクセスポイントにおいて登録をしておらず、アクセスポイントにおいてアタッチ手続を行っておらず、かつアクセスポイントにサービス要求をまだ送っていないと決定することをともなうことができる。
【００８３】
ブロック708によって表わされているように、タイマが満了している場合、CSGに関する CSG IDは、ネットワークにおいて維持されているCSG加入者情報から削除される。上で考察されているように、ある実装において、ネットワークエンティティは、自分のCSG ID情報を独立して維持することができる（少なくともある程度まで）。例えば、HSSは、自分のCSG加入者情報からCSG IDを削除するときそのことをMMEに通知をしないことができるし、逆にMMEも同様にHSSに対して通知をしないことができる。代替的に、その他の実装において、HSSは、CSG IDが削除されるべきであるということを要求するメッセージをMMEに送ることもできる（ブロック710）。
【００８４】
図8は、アクセス端末がCSGのアクセスポイントにおいて周期的に登録をすることを保証するためにCSGタイマを使用することと共同して、アクセス端末において行うことができる例示的オペレーションを説明している。この図において、アクセス端末が所定の期間（例えば、図6の時間T2）CSGにおいてNAS手続を行なったかどうかにかかわらず、アクセス端末は、自分のCSGリスト中の各CSGについて追跡をすることができる。
【００８５】
ブロック802によって表わされているように、ある時点において、アクセス端末は、CSGに関連するアクセスポイントにおいてアクセスを行なう（例えば、NASメッセージを送る）ことができる。このように、アクセス端末は、当該CSGについて時間T2を開始する（例えば、再設定する）ことができる。
【００８６】
ブロック804によって表わされているように、アクセス端末がCSGに関連するアクセスポイントに再選択をする場合、アクセス端末は、自分がアクセスに先立つ所定の期間以内に当該CSGに関連するどれかのアクセスポイントにアクセスしたかどうか決定する。例えば、アクセス端末は、タイマT2が満了したかどうか決定することができる（例えば、与えられたCSGについて時間T2が再設定される場合、いつもCSGのアクセスポイントのアクセスがある）。
【００８７】
ブロック806によって表わされているように、アクセス端末は、ブロック804の決定に基づいて、アクセスポイントにおいて登録をする。例えば、T2が満了したら、アクセス端末は登録をする。このように、アクセス端末は、延長された長い時間の間アクセスポイント上でキャンプをしたら必ず登録をする。ブロック808において、アクセス端末は、登録が成功したかどうか決定する。
【００８８】
登録が成功した場合、この成功は、ネットワークがアクセス端末についてCSG加入者情報からCSG IDをまだ削除していないことを表示する。この場合、アクセス端末は、ブロック810においてタイマを再設定することができる。
【００８９】
登録が成功しなかった場合、この失敗は、ネットワークがアクセス端末についてCSG加入者情報からCSG IDをすでに削除したことを表示する。この場合、アクセス端末は、ブロック812において自分のCSGリストからCSG IDを削除することができる。
【００９０】
さらに、フェール・セーフ手続として、アクセス端末の電源が落とされるまたは何らかの理由で時間を見失った場合、アクセス端末は、タイマが満了したことを表示するためにCSGリスト中のすべてのエントリーを自動的に設定することができる。
【００９１】
さて次に図9を参照して、ある実装において、1つまたは複数の基準に基づいて、アクセス端末が登録をする頻度をアクセス端末自身が変えられるようにすることが望まれる。例えば、一般に、オープンセルよりもCSGセルまたはハイブリッドセルにおいて頻繁に登録をするほうが有益である。さらに、CSGセルまたはハイブリッドセルが領域内で唯一の入手可能なカバレッジである場合、アクセス端末は、当該セルに再選択をするときはいつでも登録をし、また合理的に小さな間隔をあけて登録をすることができる。このことは、例えば、アクセス端末がまだCSGセルまたはハイブリッドセルのメンバであることを確実のものとするために行われる。この場合において、仮にアクセス端末がまだメンバであるというのでなければ、アクセス端末は、この地域におけるカバレッジから外れてしまう。したがって、実際にはユーザがカバレッジ内にいないのにユーザがカバレッジ内にいるようにディスプレイすることは、賢明なポリシーではない。代替カバレッジが入手可能な場合、そう頻繁に登録をする必要はない。この場合、たとえアクセス端末のメンバーシップが満了するまたは削除されることになったとしても、アクセス端末は、まだどこか他のところにアクセスすることができる（つまり、アクセス端末はまだカバレッジ内にある）であろう。
【００９２】
図9は、アクセス端末がどの程度の頻度で登録を行うかを選択するためにアクセス端末が行うことができる例示的オペレーションを図示している。ブロック902によって表わされているように、ある時点において、アクセス端末は、アクセスポイントのセルに再選択をする。ブロック904によって表わされているように、アクセス端末は、どのくらいの頻度で登録が起きるかを選択するための１つまたは複数の基準を決定することができる。例えば、アクセス端末は、あるタイプのセル（例えば、CSGセル、ハイブリッドセルまたはオープンセル）を決定することができる。代替的または追加的に、アクセス端末は、アクセス端末における入手可能なワイヤレスカバレッジ（例えば、ワイヤレスカバレッジがCSGセルから入手可能であるのみか、ハイブリッドセルから入手可能であるのみか、または少なくとも1つの代替的セルから入手可能であるか）を決定することができる。ブロック906によって表わされているように、アクセス端末は、ブロック904の決定に基づいて（例えば、セルタイプおよび／または入手可能なワイヤレスカバレッジに基づいて）、セルにおけるアクセス端末の登録頻度を選択する。
【００９３】
さて次に図10ないし12を参照して、上で言及されているように、メンバの加入がいつ満了したか示すために、暫定的CSGメンバについての満了時刻がネットワークにおいて使用されることができる。この場合において、CSG加入者情報の頻繁な更新を回避するために、ある実装において、MMEおよびHSSは、いったんメンバーシップ時間が満了したとき、互いに独立してそれぞれのCSGエントリーを削除する。さらに、アクセス端末は、自分の加入期間がいつ満了するかを追跡するために自分自身のタイマを維持することができる。しかしながら、ネットワークのタイマが満了する時がアクセス端末のタイマが満了する時と異なること（例えば、後で）がありえる。したがって、アクセス端末は、当該アクセス端末のタイマの満了後において、まだCSGのメンバであることができる。図10ないし12は、アクセス端末のタイマの満了後において、アクセス端末がまだCSGのメンバであるか決定することをアクセス端末ができるようにするスキームを説明している。
【００９４】
図10のブロック1002によって表わされているように、CSGにおいてメンバーシップ（例えば、暫定メンバーシップ）を与えられると同時に、アクセス端末は、CSGタイマを始めることができる。UEは、様々な方法で満了時刻について通知されることができる。例えば、OTA更新においてはむろんのことOMA-DM更新においても許可CSG管理オブジェクトの中に満了時刻が含められることができる。満了時刻はまた、アタッチ手続、デタッチ手続および位置登録手続（LAU/RAU/TAU）に対するMME NASシグナリング応答の中に含められることができる。NASシグナリング応答の中に満了時刻を含めることは、手動のCSG選択の場合に有益である。
【００９５】
ブロック1004によって表わされているように、ある時点において、アクセス端末は、CSGに関連するアクセスポイントに再選択をし、その後当該アクセスポイント上でキャンプをする。このように、ブロック1004は、ある態様において、あるシナリオを表わすことができる。このシナリオとは、アクセス端末が、アクセスポイントに再選択をし、その後で、アクセスポイント上でキャンプをしているとき自分のCSGタイマが満了したと決定する、というシナリオである。
【００９６】
ブロック1006によって表わされているように、ある時点において、アクセス端末は、自分のCSGタイマが満了したと決定する。ある実装において、アクセス端末は、情報提示目的のために、ユーザに満了時刻をディスプレイすることができる。例えば、タイマがまさに満了しようとしているとき、アクセス端末は、ユーザに対して警告をすることができる。
【００９７】
もしアクセス端末がブロック1004においてアクセスポイントに再選択をしなかったら、アクセスポイントは、ブロック1008においてアクセスポイントに再選択をすることができる。このように、ブロック1008は、ある実装において、あるシナリオを表すことができる。そのシナリオとは、アクセス端末が、自分のCSGタイマが満了したと決定し、次に、アクセスポイントに再選択をし、そしてアクセスポイント上でキャンプをし、その後から、自分がまだCSGのメンバであるか決定する、というシナリオである。
【００９８】
ブロック1010によって表されているように、ブロック1006の決定の結果として、アクセス端末は、自分のCSGリストを更新するための適切なアクションを取り、そのことによって、自分がまだCSGのメンバであるか決定する。上で注目したように、ネットワークのタイマがアクセス端末のタイマより遅く満了する場合、アクセス端末は、まだCSGのメンバでいることができる。例えば、アクセス端末のクロックは、正確に設定されていないかもしれないし、またはネットワークのクロックと同期化させられていないかもしれない。したがって、アクセス端末が正確な時間情報を持っていない可能性があるので、アクセス端末は、自分のタイマの満了と同時に自分のCSGリストから直ちにはCSG IDを削除しないことを決定することができる。図11および12は、ブロック1010において行うことができる2つの異なるアクションを説明している。
【００９９】
図11は、アクセス端末が、自分がまだCSGのメンバであるか決定するために、CSGリストサーバと通信をするというシナリオに関係する。ブロック1102によって表されているように、ブロック1006の決定の結果として、アクセス端末は、ネットワークから更新されたCSGリスト（例えば、被許可CSGリスト）を得るためにCSGリストサーバにアクセスをする（例えば、OMA-DMまたはOTAシグナリングによって）。ある場合において、アクセス端末は、CSGに関連していないアクセスポイントを介してCSGリストサーバにアクセスすることができる。ブロック1104によって表わされているように、アクセス端末は、次に、更新されたリストに基づいて（例えば、CSGリスト中のCSG IDの存在に基づいて）自分がまだCSGのメンバであると決定することができる。ブロック1106によって表わされているように、ある実装において、アクセス端末は、ブロック1104の決定の結果として、自分の登録の頻度を変えることができる。例えば、アクセス端末は、タイマが満了した後にできる限り早くCSGリストからCGSが削除されることを確実にするために、規則的な登録に必要とされるより頻繁に登録を行うことができる。
【０１００】
図12は、アクセス端末が、自分がまだCSGのメンバであるか決定するために、CSGのアクセスポイントにアクセスするというシナリオに関係する。例えば、アクセス端末がアクセスポイントに再選択をする、または停止モードのアクセスポイント上で現在キャンプをしている場合、アクセス端末は、アタッチまたはトラッキングエリア更新のような登録を行う行なうことができる。タイマがネットワーク上でも満了すると、MMEは、適切な拒否コード（このCSGに関して認可されなかった）を備えたアクセス端末を拒否することができる。また、アクセス端末は、アクセス端末にあるCSGリストからCSG IDを削除する。別の例として、アクセス端末がアクセスポイントに接続されている場合、アクセス端末はトラッキングエリア更新（TAU）を行なうことができる。もしタイマがネットワーク上でも満了していると、MMEは、アクセス端末を拒否し、またCSG IDは、アクセス端末のCSGリストから削除される。
【０１０１】
さて次に図12のオペレーションを参照して、ブロック1202によって表されているように、ブロック1006の決定の結果として、アクセス端末はCSGに関連するアクセスポイントにおいてアクセス（例えば、登録）を開始する。ブロック1204によって表わされているように、アクセス端末はアクセス（例えば、登録）が成功であったかどうか決定する。アクセスが成功であった場合、ブロック1206において、アクセス端末は、アクセス端末の登録頻度を変えることができる（例えば、ブロック1106でおいてすでに説明されているように）。アクセスが成功でなかった場合、アクセス端末は、自己のCSGリストからCSG IDを削除する（ブロック1208）。
【０１０２】
さて次に図13A−14を参照して、ある実装において、ページメッセージの宛先に基づいて、被許可CSGリスト情報がページメッセージの中に選択的に含められる。
【０１０３】
ある場合において、被許可CSGリストを含めるという決定は、宛先ノードに基づいている。例えば、被許可CSGリストは、HeNBsにではなく、eNodeBsおよびアクセスポイント・ゲートウェイ（例えば、HeNB-GW）に送られることができる。
【０１０４】
ある場合において、被許可CSGリストを含めるという決定は、宛先ノードによってサポートされているCSGがいくつあるかに基づいている。ある態様において、サポートされているCSGの数は、宛先ノードのタイプの表示子として役立つことができる。例えば、ノードがただ１つのCSGをサポートする場合、ノードはHeNBであると仮定される。したがって、被許可CSGリストは、そのようなノードへのページの中に含められない。対照的に、ノードが複数のCSGをサポートする場合、ノードはHeNBではない（例えば、ノードはHeNB-GWまたはeNodeBである）と仮定される。したがって、被許可CSGリストは、そのようなノードへのページの中に含められる。
【０１０５】
図13Aおよび13Bは、第1のノード（例えば、MME）で実行される例示的オペレーションであって、第2のノード（例えば、eNB、HeNBまたはHeNB-GW）にページメッセージを送るためのオペレーションを説明している。
【０１０６】
図13Aのブロック1302によって表わされているように、ある時点において、第1のノードは、第2のノードから、両ノードの間の通信を確立せよとのメッセージを受け取る。このメッセージはまた、第2のノードのタイプまたは第2のノードによってサポートされるCSGの数も表示する。このメッセージは、例えば、S1プロトコル確立メッセージまたは設定メッセージ（例えば、第2のノードについてのコンフィギュレーション更新情報を含んでいる）のような様々な形式をとることができる。
【０１０７】
ブロック1304によって表わされているように、知られていないにせよ、前記メッセージが第2のノードによってサポートされるCSGの数を表示する場合にあっては、第1のノードは、第2のノードによってサポートされるCSGの数に基づいて、第2のノードのタイプをオプション的に決定することができる。例えば、第2のノードが単一のCSGをサポートするのみであることを前記メッセージが表示する場合、第1のノードは、第2のノードがHeNBであると決定することができる。
【０１０８】
ブロック1306によって表わされているように、第1のノードは、第2のノードのタイプまたは第2のノードに支援されるCSGの数の記録を維持している。例えば、第1のノードは、メモリデバイス内にこの情報を格納することができる。
【０１０９】
ブロック1308によって表わされているように、ある時点において、第1のノードは、ページ要求メッセージを受け取る。ページ要求メッセージは、アクセス端末がページされることになっていることを表示することができる。さらに、図13Bのブロック1310によって表わされているように、第1のノードは、アクセス端末のためにCSG加入者情報（例えば、被許可CSGリスト）を得ることができる。
【０１１０】
ブロック1312によって表わされているように、ある場合において、第1のノードは、受け取られたページ要求に基づいて、ページメッセージが第2のノードに送られることになっていると決定する。したがって、ブロック1214によって表わされているように、第1のノードは、第2のノードに送られることになっているページメッセージの中に、アクセス端末についての被許可CSGリストを含めるかどうか決定する。上で考察されているように、この決定は、第2のノードのタイプまたは第2のノードに支援されるCSGの数に基づくことができる。
【０１１１】
ブロック1316によって表わされているように、第1のノードは、第2のノードにページメッセージを送る。ブロック1318によって表わされているように、第2のノードは、次に、適用可能な場合、ページメッセージ内に含まれている被許可CSGリストに基づいて、アクセス端末をページするべきか決定することができる。例えば、第2のノードは、被許可CSGリストに基づいて、アクセス端末は第2のノードにアクセスすることができないと決定することができる。この場合、第2のノードは、アクセス端末をページしないことを選択することができる。
【０１１２】
図14は、アクセスポイント・ゲートウェイ（例えば、HeNB-GW）がノードに送られるページメッセージ内に被許可CSGリストを含めるかどうかを決定するという実装に関係する。ブロック1402によって表わされているように、アクセスポイント・ゲートウェイは、ページされるべきアクセス端末についての被許可CSGリストを含んでいるページメッセージを受け取る。例えば、アクセスポイント・ゲートウェイは、MMEからS1プロトコル・ページを受け取ることができる。ブロック1404によって表わされているように、アクセスポイント・ゲートウェイは、受け取られたページメッセージに基づいて、ページされるべきノードを識別する。ブロック1406によって表わされているように、アクセスポイント・ゲートウェイは、ノードに送られるべきページ内に被許可CSGリストを含めるべきかどうか決定する。この場合、識別されたノードがHeNBであるならば、アクセスポイント・ゲートウェイは、ページ内に被許可CSGリストを含めないであろう。ブロック1408によって表わされているように、アクセスポイント・ゲートウェイは、次に、識別されたノードにページを送る。
【０１１３】
図15は、本件明細書において教示されているようなオペレーションを行なうために、アクセス端末1502（例えば、アクセス端末102に対応する）、モビリティマネージャ1504（例えば、ある態様において、ネットワークノード108に対応する）、アクセスポイント・ゲートウェイ1506（例えば、ある態様において、ネットワークノード108に対応する）およびサブスクリプションサーバ1508（例えば、ある態様において、ネットワークノード108に対応する）のようなノードに組み込まれるいくつかの例示的コンポーネントを図示している。説明されているコンポーネントはまた、通信システムにおけるその他のノードに組み込まれることもできる。例えば、システム内のその他のノードは、上のものと同様の機能性を提供するために、ノード1502ないし1508について説明されているコンポーネントと同様なコンポーネントを備えることができる。与えられたノードは、説明されているコンポーネントの1つまたは複数を備えることができる。例えば、アクセス端末は、多重の周波数上で作動するおよび／または異種方式を介して通信をすることをアクセス端末に可能ならしめる複数の送受信機コンポーネントを備えることができる。
【０１１４】
図15に示されているように、アクセス端末1502は、その他のノードと通信をするために送受信機1510を備えている。送受信機1510は、信号（例えば、メッセージ）を送信するための送信機1512と、信号を受信するための受信機1514とを備えている。
【０１１５】
ある実装において、モビリティマネージャ1504、アクセスポイント・ゲートウェイ1506およびサブスクリプションサーバ1508は、互い通信をするために、またそのその他のネットワークノードと通信をするために、ネットワークインターフェース1516、1518および1520をそれぞれ備えることができる。例えば、ネットワークインターフェース1516、1518および1520は、無線または有線のバックホールを介して１つまたは複数のネットワークノードと通信をするように構成されることができる。
【０１１６】
ノード1502ないし1508はまた、本件明細書において教示されているオペレーションを行なうためのその他のコンポーネントも備えている。例えば、ノード1502ないし1508は、その他のノードとの通信を管理し、および本件明細書に教示されているその他の関連する機能性を提供するための通信コントローラ1522ないし1528をそれぞれ備えることができる。ノード1504ないし1508のうちの2つ以上のノードが並べて配置されるエンティティを表す場合にあっては、前記通信コントローラは、例えば、エンティティとエンティティの間のインタープロセス通信を容易化するための機能性を提供することができる（例えば、あるプロセスから別のプロセスへデータを渡すことによる）。アクセス端末1502は、アクセスオペレーション（例えば、アクセスポイントにおいてアクセスを行うこと）を制御し、および本件明細書において教示されているようなその他の関連する機能性を提供するためのアクセスコントローラ1534を備えることができる。アクセス端末1502は、登録オペレーション（例えば、アクセスポイントにおいて登録をすること、登録が成功である場合タイマを再設定すること、セルのタイプを決定すること、アクセス端末の登録頻度を選択すること、アクセス端末の登録頻度を上げること、アクセスが成功だったと決定すること）を制御し、および本件明細書において教示されているようなその他の関連する機能性を提供するための登録コントローラ1536を備えることができる。アクセス端末1502は、１つまたは複数のCSGリストの管理（例えば、CSGリストからCSG IDを削除すること、CSGリストを更新すること、加入者がまだCSGのメンバであると決定すること）を実行し、および本件明細書において教示されているようなその他の関連する機能性の提供するためのリストマネージャ1538を備えることができる。アクセス端末1502は、タイミングオペレーション（例えば、アクセス端末が所定の期間内にアクセスポイントにアクセスしていないと決定すること、タイマ値が満了した決定すること）を実行し、および本件明細書において教示されているようなその他の関連する機能性を提供するためのタイマ1540を備えることができる。アクセス端末1502は、ワイヤレスカバレッジの検出（例えば、アクセス端末につい
ての入手可能なワイヤレスカバレッジを決定すること）を実行し、および本件明細書において教示されているようなその他の関連する機能性を提供するためのワイヤレスカバレッジ検出器1542を備えることができる。アクセス端末1502は、再選択オペレーション（例えば、セルまたはアクセスポイントに再選択をすること）を制御し、および本件明細書において教示されているようなその他の関連する機能性を提供するための再選択コントローラ1544を備えることができる。モビリティマネージャ1504は、ページング関連のオペレーション（例えば、アクセス端末がページされることになっていると決定すること、アクセス端末をページすること、ページメッセージ内にCSGリストを含めるか決定すること、ページ要求メッセージを受け取ること、ページメッセージがノードに送られることになっていると決定すること、ページメッセージを送ること）を制御し、および本件明細書において教示されているようなその他の関連する機能性を提供するためのページングコントローラ1530を備えることができる。モビリティマネージャ1504は、アクセスオペレーション（例えば、アクセス端末によるアクセスの試みを拒否すること）を制御し、および本件明細書において教示されているようなその他の関連する機能性を提供するためのアクセス制御機構1546を備えることができる。モビリティマネージャ1504は、加入情報の管理（例えば、CSG加入者情報からCSG IDを削除すること、タイマを設定すること、タイマが満了したと決定すること、その満了に基づいてCSG IDを削除すること）を実行し、および本件明細書において教示されているようなその他の関連する機能性を提供するための加入者データマネージャ1548を備えることができる。アクセスポイント・ゲートウェイ1506は、ページング関連のオペレーション（例えば、ページされるべきノードを識別すること、ページを送ること）を制御し、および本件明細書において教示されているようなその他の関連する機能性を提供するためのページングコントローラ1532を備えることができる。最後に、サブスクリプションサーバ1508は、加入者情報の格納と管理（例えば、加入者がもはやCSGのメンバではないと決定すること、加入者がもはやCSGのメンバではないという表示子を設定すること、
CSG加入者情報からCSG IDを削除すること、タイマを設定すること、タイマが満了したと決定すること、その満了に基づいてCSG IDを削除すること）を実行し、および本件明細書において教示されているようなその他の関連する機能性を提供するためのサブスクリプションデータベース1550を備えることができる。
【０１１７】
便宜上、ノード 1502ないし1508は、本件明細書記載の様々な例示の中で使用され得るコンポーネントを含んでいるものとして図15に示されている。実際上、ここに図示されているコンポーネントの1つまたは複数は、与えられた例示の中で使用されないこともできる。例として、ある実装において、アクセス端末1502は、ワイヤレスカバレッジ検出器1542を含まないことができる。また、ここに図示されているコンポーネントの1つまたは複数は、異なる実装において異なる機能性を提供することもできる。例として、ある実装において、ページングコントローラ1530は、図3Aおよび3Bにおいて説明されているようなオペレーションを行なうことができる。また、ある実装において、ページングコントローラ1530は、図13Aおよび13Bにおいて説明されているようなオペレーションを行なうこともできる。
【０１１８】
また、ある実装において、図15のコンポーネントは、１つまたは複数のプロセッサ（例えば、前記機能性を提供するためにプロセッサによって使用される情報またはコードの格納のためにデータメモリを使用するおよび／または組み込んでいるプロセッサ）の中で実装されることができる。例えば、ブロック1522および1534 ないし1544の機能性は、アクセス端末の１つまたは複数のプロセッサと当該アクセス端末のデータメモリとによって実装されることができる（例えば、適切なコードの実行によって、および／またはプロセッサコンポーネントの適切な構成によって）。同様に、モビリティマネージャ1504のブロックの機能性は、モビリティマネージャの１つまたは複数のプロセッサと当該モビリティマネージャのデータメモリとによって実装されることができる（例えば、適切なコードの実行によって、および／またはプロセッサコンポーネントの適切な構成によって）。また、アクセスポイント・ゲートウェイ1506のブロックの機能性は、アクセスポイント・ゲートウェイの１つまたは複数のプロセッサと当該アクセスポイント・ゲートウェイのデータメモリとによって実装されることができる（例えば、適切なコードの実行によって、および／またはプロセッサコンポーネントの適切な構成によって）。さらに、サブスクリプションサーバ1508のブロックの機能性は、サブスクリプションサーバの１つまたは複数のプロセッサと当該サブスクリプションサーバのデータメモリとによって実装されることができる（例えば、適切なコードの実行によって、および／またはプロセッサコンポーネントの適切な構成によって）。
【０１１９】
上で考察されているように、ある態様において、本件明細書における教示は、マクロ規模のカバレッジ（例えば、3Gネットワークのような広域セルラーネットワークであって、典型的にはマクロセルネットワークまたはWANと呼ばれるもの）および比較的小規模のカバレッジ（例えば、住宅ベースまたは建物ベースのネットワーク環境であって、典型的にはLANと呼ばれるもの）を含むネットワークにおいて採用可能である。アクセス端末（AT）がそのようなネットワークを通って移動する際、当該アクセス端末は、ある場所では、マクロカバレッジを提供するアクセスポイントによってサービスを受け、その他の場所では、比較的小規模のカバレッジを提供するアクセスポイントによってサービスを受けることができる。ある態様において、比較的小規模のカバレッジのノードは、インクリメンタルな容量増加、建物内のカバレッジ、および様々なサービス（例えば、さらに強健なユーザエキスペリエンスのためのもの）を提供するために使用されることができる。
【０１２０】
本件明細書における説明において、比較的大きなエリアにカバレッジを提供するノード（例えば、アクセスポイント）は、マクロ・アクセスポイントと呼ばれ、これに対して、比較的小さなエリア（例えば、住居）にカバレッジを提供するノードは、フェムト・アクセスポイントと呼ばれる。本件明細書における教示はその他のタイプのカバレッジエリアに関連するノードに適用可能であることが認識されるべきである。例えば、ピコ・アクセスポイントは、マクロ・エリアより小さく、フェムト・エリアより大きいエリアにカバレッジ（例えば、商業ビル内のカバレッジ）を提供することができる。様々なアプリケーションにおいて、マクロ・アクセスポイント、フェムト・アクセスポイントまたはその他のアクセスポイント型のノードに言及するために、その他の用語が使用されることができる。例えば、マクロ・アクセスポイントは、アクセスノード、ベースステーション、アクセスポイント、eNodeB、マクロセルなどとして構成される、または言及されることができる。また、フェムト・アクセスポイントは、ホームNodeB、ホームeNodeB、アクセスポイントベースステーション、フェムトセルなどとして構成される、または言及されることができる。ある実装において、ノードは、１つまたは複数のセルまたはセクターに関連づけられることができる（「に関連づけられる」とは、例えば、そのようなものとして言及される、またはそのようなものに分割されること）。マクロ・アクセスポイント、フェムト・アクセスポイントまたはピコ・アクセスポイントに関連づけられるセルまたはセクターは、マクロセル、フェムトセルまたはピコ・セルとそれぞれ呼ばれることができる。
【０１２１】
図16は、本件明細書における教示が実装され得るワイヤレス通信システム1600を図示している。このシステムは、多数のユーザをサポートするように構成されている。システム1600は、例えば、マクロセル1602Aないし1602Gのような複数のセル1602のために通信を提供する。ここにおいて、各々のセルは、対応するアクセスポイント1604（例えば、アクセスポイント1604Aないし1604G）によってサービスされている。図16において示されているように、アクセス端末1606（例えば、アクセス端末1606A ないし1606L）は、時間の経過とともに当該システム全体にわたって様々な場所に散らばらされることになる。各アクセス端末1606は、それが（アクセス端末1606が）アクティブであるかどうか、およびそれが例えばソフトハンドオフにあるかどうかに依存して、与えられた瞬間において前方リンク（FL）および／または逆方向リンク（RL）の上で１つまたは複数のアクセスポイント1604と通信をすることができる。ワイヤレス通信システム1600は、大規模な地理的エリア上でサービスを提供することができる。例えば、マクロセル1602A - 1602Gは、隣近所の少数のブロックまたは郊外の環境の数マイルのエリアをカバーすることができる。
【０１２２】
図17は、１つまたは複数のフェムト・アクセスポイントがネットワーク環境内に展開させられている例示的通信システム1700を図示している。具体的には、システム1700は、比較的小規模なネットワーク環境（例えば、１つまたは複数のユーザ住宅1730内）にインストールされた複数のフェムト・アクセスポイント1710（例えば、フェムト・アクセスポイント1710Aおよび1710B）を備えている。各フェムト・アクセスポイント1710は、DSLルータ、ケーブルモデム、ワイヤレスリンクまたはその他の接続手段（不図示）を介して、広域ネットワーク1740（例えば、インターネット）および携帯電話会社コアネットワーク1750に接続されている。以下において考察されるように、各フェムト・アクセスポイント1710は、関連するアクセス端末1720（例えば、アクセス端末1720A）およびオプション的にその他の（例えば、ハイブリッドまたは異種の）アクセス端末1720（例えば、アクセス端末1720B）をサービスするように構成されることができる。言いかえれば、フェムト・アクセスポイント1710へのアクセスが制限されるということであって、そのことはどういうことかといえば、与えられたアクセス端末1720は、一組の指定された（例えば、ホームの）フェムト・アクセスポイントによってサービスされ得るが、指定されていないフェムト・アクセスポイント1710（例えば、近隣のフェムト・アクセスポイント1710）によってはサービスされ得ないということである。
【０１２３】
図18は、いくつかのトラッキングエリア1802（またはルーティング・エリアまたは位置エリア）が定義されるカバレッジマップ1800の一例を図示しており、各トラッキングエリアの各々は、いくつかのマクロ・カバレッジエリア1804を含んでいる。この図において、トラッキングエリア1802A、1802Bおよび1802Cに関連するカバレッジのエリアは太線によって囲まれており、またマクロ・カバレッジエリア1804は比較的大きな六角形で表わされている。トラッキングエリア1802はまた、フェムト・カバレッジエリア1806も備えている。この例では、フェムト・カバレッジエリア1806の各々（例えば、フェムト・カバレッジエリア1806C）は、１つまたは複数のマクロ・カバレッジエリア1804（例えば、マクロ・カバレッジエリア1804B）の内部に描かれている。しかしながら、フェムト・カバレッジエリア1806のうちの一部または全部がマクロ・カバレッジエリア1804の内部に存在しないこともあるということが認識されるべきである。実際上、多数のフェムト・カバレッジエリア1806が、与えられたトラッキングエリア1802またはマクロ・カバレッジエリア1804の内部で定義されることができる。また、１つまたは複数のピコ・カバレッジエリア（不図示）が、与えられたトラッキングエリア1802またはマクロ・カバレッジエリア1804の内部で定義されることもできる。
【０１２４】
再び図17を参照して、フェムト・アクセスポイント1710の所有者は、携帯電話会社コアネットワーク1750を通じて提供される移動体サービス（例えば、3G移動体サービスのようなサービス）に加入することができる。さらに、アクセス端末1720は、マクロ環境および比較的小規模な（例えば、居住）ネットワーク環境の両方の中で作動することができることができる。言い換えれば、アクセス端末1720の現在の位置に依存して、アクセス端末1720は、携帯電話会社コアネットワーク1750に関連するマクロセル・アクセスポイント1760によって、または1セットのフェムト・アクセスポイント1710（例えば、対応するユーザ住宅1730内に存在するフェムト・アクセスポイント1710Aおよび1710B）のうちのどれか1つによってサービスを受けることができる。例えば、加入者が自分の家の外にいるとき、加入者は、標準的なマクロ・アクセスポイント（例えば、アクセスポイント1760）によってサービスを受け、加入者が家の中にいるとき、フェムト・アクセスポイント（例えば、アクセスポイント1710A）によってサービスを受ける。この例において、フェムト・アクセスポイント1710は、遺物的アクセス端末1720と後方互換性を有することができる。
【０１２５】
フェムト・アクセスポイント1710は、単一の周波数、または代替的にマルチ周波数上で展開されることができる。特定の機器構成に依存して、単一周波数またはマルチ周波数のうちの１つもしくは複数の周波数は、マクロ・アクセスポイント（例えば、アクセスポイント1760）によって使用される１つまたは複数の周波数とオーバーラップする可能性がある。
【０１２６】
ある態様において、アクセス端末1720は、好ましいフェムト・アクセスポイント（例えば、アクセス端末1720のホーム・フェムト・アクセスポイント）への接続が可能であるときはつねにそのような接続をするように構成されることができる。例えば、アクセス端末1720Aがユーザの住宅1730の中にあるときはつねに、アクセス端末1720Aがホーム・フェムト・アクセスポイント1710Aまたは1710Bとのみ通信をすることが望まれる。
【０１２７】
ある態様において、アクセス端末1720がマクロ・セルラ・ネットワーク1750内で作動しているが、自分の最も好ましいネットワーク（例えば、好ましいローミング・リスト内で定義されているようなもの）上に存在しているというわけではない場合、アクセス端末1720は、よりよいシステムを再選択するためのBSR（a better system reselection：BSR）手続を使用することによって最も好ましいネットワーク（例えば、好ましいフェムト・アクセスポイント1710）を探索することを続けることができる。このBSR手続は、よりよいシステムが現在入手可能であるかを決定し、その後そのような好ましいシステムを手に入れるために入手可能なシステムを周期的にスキャニングする手続を伴うものであってもよい。アクセス端末1720は、特有の帯域およびチャネルの探索を制限することができる。例えば、1つまたは複数のフェムト・チャネルを定義し、もって、ある領域内のすべてのフェムト・アクセスポイント（またはすべての制限的フェムト・アクセスポイント）がそのようなフェムト・チャネル上で作動するようにすることができる。最も好ましいシステムについての探索は、周期的に繰り返されることができる。好ましいフェムト・アクセスポイント1710を発見すると同時に、アクセス端末1720は、そのフェムト・アクセスポイント1710を選択し、そしてカバレッジエリア内にいるときに使用するためにフェムト・アクセスポイント上で登録をする。
【０１２８】
フェムト・アクセスポイントへのアクセスは、ある態様において制限されることがある。例えば、ある与えられたフェムト・アクセスポイントは、あるアクセス端末にあるサービスを提供することしかできないかもしれない。いわゆる制限された（またはメンバ限定の）アクセスを具備するシステム配備においては、ある与えられたアクセス端末は、マクロセル移動体ネットワークとある所定の組のフェムト・アクセスポイント（例えば、対応するユーザ住宅1730内に存在するフェムト・アクセスポイント1710）とによってサービスを受けるだけかもしれない。ある実装において、アクセスポイントは、少なくとも1つのノード（例えば、アクセス端末）について、シグナリング、データアクセス、登録、ページングまたはサービスのうちの少なくとも１つを提供しないように制限されているかもしれない。
【０１２９】
ある態様において、「制限的フェムト・アクセスポイント」（これは、クローズドサブスクライバグループホームNodeBと呼ばれることもできる）とは、プロビジョニングされた限定的な1セットのアクセス端末にサービスを提供するフェムト・ポイントのことである。この1セットのアクセス端末は、一時的または永久的に必要に応じて拡張することができる。ある態様において、「クローズドサブスクライバグループ（CSG）」は、アクセス端末の共通アクセスコントロールリストを共有するアクセスポイント（例えば、フェムト・アクセスポイント）のセットとして定義することができる。
【０１３０】
上記の考察はある態様においてCSGに言及しているが、本件明細書における教示は、１つまたは複数のセル（例えば、少なくとも1つのアクセスポイント）からなるセットを具備する任意のワイヤレスセルのセットに一般的に適用可能である。ただし、それらのセルの間には、当該セットに固有の所定の関係性があるものとする。このように、CSGは、ワイヤレスセルのセットの単なる一例である。それゆえ、本件明細書記載の概念がワイヤレスセルまたはその他の同様のエンティティの、その他のタイプの所定のセットまたはグループにも適用可能であることが認識されるべきである。
【０１３１】
このように、与えられたフェムト・アクセスポイントと与えられたアクセス端末の間には、様々な関係性が存在することができる。例えば、アクセス端末の観点からいうと、「開放的フェムト・アクセスポイント」は、アクセスが制限されていないフェムト・アクセスポイント（例えば、フェムト・アクセスポイントがどのアクセス端末に対するアクセスも許可する）を指すことができる。「制限的フェムト・アクセスポイント」は、ある様態で制限されている（例えば、アクセスおよび／または登録について制限がある）フェムト・アクセスポイントを指すことができる。「ホーム・フェムト・アクセスポイント」は、アクセス端末がアクセスすることおよび動作することが認可されているフェムト・アクセスポイント（例えば、１つまたは複数のアクセス端末の所定のセットについて永久的アクセスが提供される）を指すことができる。「ハイブリッド（またはゲスト）フェムト・アクセスポイント」は、異なるアクセス端末には異なるレベルのサービスが提供されるフェムト・アクセスポイントを指すことができる。例えば、いくつかのアクセス端末（例えば、非メンバ）は、部分的および／または暫定的アクセスが許される。これに対し、その他の端末（例えば、メンバ）は、優先的アクセス（例えば、完全アクセス）が与えられることができる。「外部フェムト・アクセスポイント」は、たぶん緊急事態（例えば、911コール）を除いて、アクセス端末がアクセスすることも動作することも認可されていないフェムト・アクセスポイントを指すことができる。
【０１３２】
一方、制限的フェムト・アクセスポイントの観点からいうと、「ホーム・アクセス端末」は、当該アクセス端末の所有者の住宅にインストールされている制限的フェムト・アクセスポイントにアクセスすることが認められているアクセス端末（通常、ホーム・アクセス端末は、当該フェムト・アクセスポイントへの永久的アクセスを有している）を指すことができる。「ゲスト・アクセス端末」は、制限的フェムト・アクセスポイントへの暫定的アクセスを備えているアクセス端末（例えば、デッドライン、使用時間、バイト数、接続料金、またはその他の何らかの基準に基づいて制限されているアクセス端末）を指すことができる。「外部アクセス端末」は、たぶん緊急事態（例えば、911コール）を除いて、制限的フェムト・アクセスポイントにアクセスすることを許可されていないアクセス端末（例えば、制限的フェムト・アクセスポイントで登録をすることについて信任も許諾も得ていないアクセス端末）を指すことができる。
【０１３３】
便宜上、本件明細書の開示は、フェムト・アクセスポイントの文脈における様々な機能性を説明している。しかしながら、ピコ・アクセスポイントが比較的大きなカバレッジエリアについても同じまたは同様の機能性を提供することができるということが認識されるべきである。例えば、ピコ・アクセスポイントが制限されることもできる、ホーム・ピコ・アクセスポイントが与えられたアクセス端末について定義されることもできる、等々である。
【０１３４】
本件明細書の教示は、複数のワイヤレスアクセス端末のための通信を同時にサポートするワイヤレス多元接続通信システムにおいて使用されることができる。この場合において、各端末は、前方向リンクおよび逆方向リンク上の送信によって１つまたは複数のアクセスポイントと通信をすることができる。前方向リンク（または下りリンク）とは、アクセスポイントからアクセス端末への通信リンクをいい、また逆方向リンク（または上りリンク）とは、アクセス端末からアクセスポイントへの通信リンクをいう。この通信リンクは、単一入力単一出力（SISO）システム、複数入力複数出力（MIMO）システム、またはその他の何らかのタイプのシステムによって確立することができる。
【０１３５】
MIMOシステムは、複数の（NT個の）送信アンテナと複数の（NR個の）受信アンテナとを使用してデータ送信を行う。NT個の送信アンテナとNR個の受信アンテナとによって形成されるMIMOチャネルは、NS個の独立チャネル（これは、空間チャネルともいわれる）に分解することができる。ここにおいて、NS＞mini｛NT、NR｝である。NS個の独立したチャネルの各々は、1次元に対応する。MIMOシステムは、複数の送信アンテナと複数の受信アンテナとによって生成される追加の次元が利用される場合、効率の改善（例えば、スループットの向上および信頼性の向上）を提供することができる。
【０１３６】
MIMOシステムは、時分割二重（TDD）および周波数分割二重（FDD）をサポートすることができる。TDDシステムにおいて、前方向通信および逆方向通信は、相互性の原則が逆方向リンクチャネルからの前方向リンクチャネルの評価を可能とするように、同じ周波数領域上にある。このことにより、アクセスポイントにおいて複数のアンテナが利用可能である場合、アクセスポイントは、前方向リンク上で送信ビームフォーミング利得を引き出すことができる。
【０１３７】
図19は、ワイヤレスデバイス1910（例えば、アクセスポイント）および例示的MIMOシステム1900のワイヤレスデバイス1950（例えば、アクセス端末）を図示している。デバイス1910において、多数のデータストリームについてのトラヒックデータがデータ源1912から送信（TX）データ処理装置1914に提供される。各データストリームは、次に、それぞれの送信アンテナによって送信されることができる。
【０１３８】
TXデータ処理装置1914は、各データストリームについて選択された特定の符号化スキームに基づいてトラフィックデータをフォーマット化し、符号化し、および符号化し、もって符号化データを提供する。各データストリームについての符号化データは、OFDM技術を使用してパイロット・データで多重化することができる。パイロット・データは、典型的には、公知のやり方で処理される公知のデータパターンであり、チャネル応答の推定のために受信機システムにおいて使用されることができる。各データストリームについての多重化されたパイロットと符号化データは、次に、当該データストリームについて選択された特定の変調方式（例えば、BPSK、QSPK、M-PSKまたはM-QAM）に基づいて変調され（すなわちシンボルマップされ）、そのことにより、変調シンボルを提供する。各データストリームについてのデータレート、符号化および変調は、プロセッサ1930によって実行される命令によって決定されることができる。データメモリ1932は、プロセッサ1930によってまたはデバイス1910のその他のコンポーネントによって使用されるプログラムコード、データおよびその他の情報を格納することができる。
【０１３９】
すべてのデータストリームについての変調シンボルは、次に、TX MIMOプロセッサ1920に提供される。TX MIMOプロセッサ1920は、変調シンボルを（例えば、OFDMのために）さらに処理することができる。TX MIMOプロセッサ1920は、次に、NT個の変調シンボルストリームをNT個の送受信機（XCVR）1922A ないし 1922Tに供給する。ある態様において、TX MIMOプロセッサ1920は、データストリームのシンボルとそのシンボルが送信されているアンテナとに対してビームフォーミング重みを適用する。
【０１４０】
各送受信機1922は、それぞれのシンボルストリームを処理することによって１つまたは複数のアナログ信号を提供し、そして当該アナログ信号をさらに調整（例えば、増幅、フィルタリング、およびアップコンバート）することによってMIMOチャネル上の送信に適した変調信号を提供する。送受信機1922Aないし1922TからのNT個の変調信号は、次に、それぞれアンテナ1924Aないし1924Tから送信される。
【０１４１】
デバイス1950において、送信された調整された信号は、NR個のアンテナ1952Aないし1952Rによって受信され、また各アンテナ1952からの受信信号は、それぞれの送受信機（XCVR）1954Aないし1954Rに提供される。各送受信機1954は、それぞれの受信信号を調整（例えば、フィルタリング、増幅、およびダウンコンバート）し、当該調整された信号をデジタル化し、そのことによってサンプルを提供し、そしてさらに当該サンプルを処理し、そのことによって対応する「受信された」シンボルストリームを提供する。
【０１４２】
受信（RX）データ処理装置1960は、次に、特定の受信機処理技術に基づいてNR個の送受信機1954からNR個の受信されたシンボルストリームを受信しおよび処理し、そのことによってNT個の「検出された」シンボルストリームを提供する。RXデータ処理装置1960は、次に、各々の被検出シンボルストリームを復調し、ディインタリーブし、そして復号し、そのことによってデータストリームに関するトラヒックデータを復元する。RXデータ処理装置1960による処理は、デバイス1910におけるTX MIMOプロセッサ1920およびTXデータ処理装置1914によって行なわる処理に相補的である。
【０１４３】
プロセッサ1970は、どのプリコーディングマトリックスを使用するかを周期的に決定する（以下において考察される）。プロセッサ1970は、マトリックス・インデックス部分およびランク値部分を具備する逆リンクメッセージを公式化する。データメモリ1972は、プロセッサ1970またはデバイス1950のその他のコンポーネントによって使用されるプログラムコード、データ、およびその他の情報を格納することができる。
【０１４４】
逆リンクメッセージは、通信リンクおよび／または受信データストリームに関する様々なタイプの情報を含むことができる。逆リンクメッセージは、次に、TXデータ処理装置1938（TXデータ処理装置1938はまたデータ源1936から多数のデータストリームについてのデータトラヒックを受信する）によって処理され、変調器1980によって調整され、送受信機1954Aないし1954Rによって調整され、そしてデバイス1910に再送信される。
【０１４５】
デバイス1910において、デバイス1950からの変調された信号は、アンテナ1924によって受け取られ、送受信機1922によって調整され、復調器（DEMOD）1940によって復調され、そしてRXデータ処理装置1942によって処理されて、その結果としてデバイス1950によって送信された逆リンクメッセージの抽出が行われる。プロセッサ1930は、次に、ビームフォーミング重みを決定するためにどのプリコーディングマトリックスを使用するべきかを決定し、次に、前記抽出されたメッセージを処理する。
【０１４６】
図19はまた、前記通信コンポーネントは、本件明細書において教示されているようなアクセスコントロール操作を実行する１つまたは複数のコンポーネントを含むことができるということを図示している。例えば、アクセスコントロールコンポーネント1990は、デバイス1910内のプロセッサ1930および／またはその他のコンポーネントと協働し、もって他方のデバイス（例えば、デバイス1950）が、本件明細書において教示されているようにデバイス1910にアクセスすることを可能にすることができる。同様に、アクセスコントロールコンポーネント1992は、デバイス1950内のプロセッサ1970および／またはその他のコンポーネントと協働し、もって当該デバイスが、他方のデバイス（例えばデバイス1910）にアクセスすることを可能にすることができる。各デバイス1910および1950に関し、先に説明したコンポーネントの2つまたはそれ以上の機能性は、単一のコンポーネントによって提供可能であるということが認識されるべきである。例えば、単一の処理コンポーネントがアクセスコントロールコンポーネント1990およびプロセッサ1930の機能性を提供することができ、また単一の処理コンポーネントがアクセスコントロールコンポーネント1992およびプロセッサ1970の機能性を提供することができる。
【０１４７】
本件明細書における教示は、様々なタイプの通信システムおよび／またはシステムコンポーネントに組み込まれることができる。ある態様において、本件明細書における教示は、利用可能なシステムリソースを共有することによって（例えば、バンド幅、送信電力、コーディング、インターリービングなどのうちの１つまたは複数のものを明示することによって）複数のユーザとの通信をサポートすることができる多元接続システムにおいて使用されることができる。例えば、本件明細書における教示は、以下の技術のうちのいずれか１つまたはそれらの組み合わせに対して適用可能である：符号分割多元接続（CDMA）システム、多重キャリア符号分割多元接続（MCCDMA）、ワイドバンドCDMA（W- CDMA）、高速パケットアクセス（HSPA、HSPA+）システム、時分割多元接続（TDMA）システム、周波数分割多元接続（FDMA）システム、単一キャリアFDMA（SC-FDMA）システム、直交周波数分割多元接続（OFDMA）システムまたはその他の多元接続技術。本件明細書における教示を採用するワイヤレス通信システムは、IS-95、cdma2000、IS-856、W-SCDMA、TDSCDMAおよびその他の標準のような１つまたは複数の標準を実装するようにデザインされることができる。CDMMAネットワークは、UTRA （Universal Terrestrial Radio Access）、cdma2000またはその他の何らかの技術のような無線技術を実装することができる。UTRAは、W-CDMAおよび（LCR Low Chip Rate）を含んでいる。cdma2000技術は、IS-2000、IS-95およびIS-856標準をカバーしている。TDMAネットワークは、GSM（登録商標）（Global System for Mobile）通信のような無線技術を実装することができる。OFDMAネットワークは、E-UTRA（Evolved UTRA）、IEEE 802.11, IEEE 802.16, IEEE 802.20, Flash-OFDM（登録商標）のような無線技術を実装することができる。UTRA、E-UTRAおよびGSMは、UMTS（Universal Mobile Telecommunication System）の一部である。本件明細書における教示は、3GPP LTE（Long Term Evolution）システム、UMB （Ultra-Mobile Broadband）システムおよびその他のタイプのシステムにおいて実装されることができる。LTEは、E-UTRAを使用するUMTSのリリースである。UTRA、E-UTRA、GSM、UMTSおよびLTEは、「3GPP」（3rd Generation Partnership Project）という名という名の組織からの文献に説明されており、一方、cdma2000については、「3GPP2」(3rd Generation Partnership Project 2)という名の組織からの文献に説明されている。本件開示のある態様は3GPPの用語を使用して説明されているかもしれないが、本件明細書における教示は、3GPP（例えば、Re199、Re15、Re16、Re17）技術のみならず、3GPP2（例えば、1xRTT、1xEV-DO RelO、RevA、RevB）技術およびその他の技術にも適用可能であることが理解されるべきである。
【０１４８】
本件明細書における教示は、様々な装置（例えば、ノード）に組み込まれる（例えば、内部実装される、または演算実行される）ことができる。ある態様において、本件明細書における教示に準拠して実装されるノード（例えば、ワイヤレスノード）は、アクセスポイントまたはアクセス端末を含むことができる。
【０１４９】
例えば、アクセス端末は、ユーザ設備、加入者ステーション、加入者ユニット、モバイル局、モバイル、モバイルノード、遠隔局、遠隔端末、ユーザ端末、ユーザエージェント、ユーザデバイス、またはその他の何らかの用語のものを含むこと、またはこれらのものとして実装されること、またはこれらのものとして知られることができる。ある実装において、アクセス端末は、セルラー電話、コードレス電話、セッション設定プロトコル（SIP）電話、ワイヤレス・ローカル・ループ（WLL）局、携帯情報端末（PDA）、ワイヤレス接続能力のある可搬デバイスまたは、ワイヤレスモデムに接続されたその他の何らかの適切な処理デバイスを含むことができる。したがって、本件明細書において教示されている１つまたは複数の態様は、電話（例えば、セルラー電話またはスマートフォン）、コンピュータ（例えば、ラップトップ）、ポータブル通信デバイス、ポータブル・コンピューティング・デバイス（例えば、PDA）、娯楽デバイス（例えば、音楽デバイス、ビデオデバイスまたは衛星ラジオ）、GPSデバイス、またはワイヤレス媒体を介して通信をするように構成されているその他の適切なデバイスの中に組み込まれることができる。
【０１５０】
アクセスポイントは、NodeB、eNodeB、無線ネットワークコントローラ（RNC）、ベースステーション（BS）、無線ベースステーション（RBS）、ベースステーションコントローラ（BSC）、ベース送受信機局（BTS）、送受信ファンクション（TF）、無線送受信機、無線ルータ、基本サービスセット（BSS）、拡張サービスセット（ESS）、マクロセル、マクロノード、ホームeNB（HeNB）、フェムトセル、フェムトノード、ピコノードまたはその他の何らかの同様の用語のものを含むこと、またはこれらのものとして実装されること、またはこれらのものとして知られることができる。
【０１５１】
ある態様において、ノード（例えば、アクセスポイント）は、通信システムのためのアクセスノードを含むことができる。そのようなアクセスノードは、例えば、あるネットワーク（例えば、インターネットまたはセルラーネットワークのような広域ネットワーク）のための接続またはそのネットワークへの接続を、そのネットワークとの有線またはワイヤレスの通信リンクによって提供することができる。したがって、あるアクセスノードは、他のノード（例えば、アクセス端末）がネットワークまたはその他の何らかの機能性にアクセスすることを可能にすることができる。さらに、前記ノードの１つまたは２つは、ポータブルであってもよいし、またはある場合には、相対的に非ポータブルであってもよい、ということが認識されるべきである。
【０１５２】
また、ワイヤレスノードは、非ワイヤレス的なやり方で（例えば、有線接続で）情報を送信するおよび／または受信することができる、ということも認識されるべきである。このように、本件明細書において考察されているような受信機および送信機は、非ワイヤレス媒体によって通信をするために適切な通信インターフェースコンポーネント（例えば、電気的または光学的インターフェースコンポーネント）を含むことができる。
【０１５３】
ワイヤレスノードは、何らかの適切なワイヤレス通信技術に基づくまたはそうでなければそのような通信技術をサポートする１つまたは複数のワイヤレス通信リンクによって通信をすることができる。例えば、ある態様において、ワイヤレスノードは、ネットワークと協同をすることができる。ある態様において、ネットワークは、ローカルエリアネットワークまたは広域ネットワークを含むことができる。ワイヤレスデバイスは、本件明細書において考察されているような、様々なワイヤレス通信技術、プロトコルまたは標準（例えば、CDMA、TDMA、OFDM、OFDMA、WiMAX、Wi-Fi等々）のうちの1つまたは複数をサポートするまたはそうでなければ使用することができる。同様に、ワイヤレスノードは、様々な対応する変調または多重化スキームのうちの1つまたは複数をサポートするまたはそうでなければ使用することができる。このように、ワイヤレスノードは、上記のワイヤレス通信技術またはその他のワイヤレス通信技術を使用して１つまたは複数のワイヤレス通信リンクによって確立し通信をするために適切なコンポーネント（例えば、エアーインターフェース）を含むことができる。例えば、ワイヤレスノードは、ワイヤレス媒体上の通信を容易化する様々なコンポーネント（例えば、信号発生器および信号プロセッサ）を含む送信機・受信機コンポーネントと関連するワイヤレス送受信機を含むことができる。
【０１５４】
本件明細書記載の機能性（例えば、1つまたは複数の添付の図面に関する機能性）は、別添クレームにおいて同じように指定されている「〜するための手段」と、ある態様において、対応することができる。図20ないし27を参照して、装置2000、2100、2200、2300、2400、2500、2600および2700は、一連の相互に関係のある機能的モジュールとして表わされる。ここで、CSGメンバ決定モジュール2002は、例えば、本件明細書において考察されているようなサブスクリプションデータベースと、少なくともある態様において、対応することができる。表示子送信モジュール2004は、例えば、本件明細書において考察されているようなサブスクリプションデータベースと、少なくともある態様において、対応することができる。表示子設定モジュール2006は、例えば、本件明細書において考察されているような通信コントローラと、少なくともある態様において、対応することができる。メッセージ送信モジュール2008は、例えば、本件明細書において考察されているような通信コントローラと、少なくともある態様において、対応することができる。表示子受取モジュール2010は、例えば、本件明細書において考察されているような通信コントローラと、少なくともある態様において、対応することができる。識別子削除モジュール2012は、例えば、本件明細書において考察されているようなサブスクリプションデータベースと、少なくともある態様において、対応することができる。タイマ設定モジュール2014は、例えば、本件明細書において考察されているようなサブスクリプションデータベースと、少なくともある態様において、対応することができる。期間満了タイマ決定モジュール2016は、例えば、本件明細書において考察されているようなサブスクリプションデータベースと、少なくともある態様において、対応することができる。表示子受取モジュール2012は、例えば、本件明細書において考察されているような通信コントローラと、少なくともある態様において、対応することができる。ページ決定モジュール2104は、例えば、本件明細書において考察されているようなページコントローラと、少なくともある態様において、対応することができる。ページングモジュール2106は、例えば、本件明細書において考察されているようなページングコントローラと、少なくともある態様において、対応することができる。アクセス試み拒否モジュール2108は、例えば、本件明細書において考察されているようなアクセスコントローラと、少なくともある態様において、対応することができる。メッセージ送信モジュール2110は、例えば、本件明細書において考察されているような通信コントローラと、少なくともある態様において、対応することができる。識別子削除モジュール2112は、例えば、本件明細書において考察されているような加入者データマネージャと、少なくともある態様において、対応することができる。タイマ設定モジュール2114は、例えば、本件明細書において考察されているような加入者データマネージャと、少なくともある態様において、対応することができる。期間満了決定モジュール2116は、例えば、本件明細書において考察されているような加入者データマネージャと、少なくともある態様において、対応することができる。ア���セス実行モジュール2202は、例えば、本件明細書において考察されているようなアクセスコントローラと、少なくともある態様において、対応することができる。アクセス決定モジュール2204は、例えば、本件明細書において考察されているようなタイマと、少なくともある態様において、対応することができる。登録モジュール2206は、例えば、本件明細書において考察されているような登録コントローラと、少なくともある態様において、対応することができる。識別子削除モジュール2208は、例えば、本件明細書において考察されているようなリストマネージャと、少なくともある態様において、対応することができる。タイマ再設定モジュール2210は、例えば、本件明細書において考察されているような登録コントローラと、少なくともある態様において、対応することができる。セル再選択モジュール2302は、例えば、本件明細書において考察されているような再選択コントローラと、少なくともある態様において、対応することができる。セルタイプ決定モジュール2304は、例えば、本件明細書において考察されているような登録コントローラと、少なくともある態様において、対応することができる。登録頻度選択モジュール2306は、例えば、本件明細書において考察されているような登録コントローラと、少なくともある態様において、対応することができる。入手可能ワイヤレスカバレッジ決定モジュール2308は、例えば、本件明細書において考察されているようなワイヤレスカバレッジ検出器と、少なくともある態様において、対応することができる。期間満了タイマ決定モジュール2402は、例えば、本件明細書において考察されているようなタイマと、少なくともある態様において、対応することができる。リスト更新モジュール2404は、例えば、本件明細書において考察されているようなリストマネージャと、少なくともある態様において、対応することができる。CSGメンバ決定モジュール2406は、例えば、本件明細書において考察されているようなリストマネージャと、少なくともある態様において、対応することができる。登録頻度増加モジュール2408は、例えば、本件明細書において考察されているような登録コントローラと、少なくともある態様において、対応することができる。識別子削除モジュール2410は、例えば、本件明細書において考察されているようなリストマネージャと、少なくともある態様において、対応することができる。成功アクセス決定モジュール2412は、例えば、本件明細書において考察されているような登録コントローラと、少なくともある態様において、対応することができる。再選択モジュール2414は、例えば、本件明細書において考察されているような再選択コントローラと、少なくともある態様において、対応することができる。ノードタイプメッセージ受取モジュール2502は、例えば、本件明細書において考察されているような通信コントローラと、少なくともある態様において、対応することができる。ページメッセージ内リスト決定モジュール2504は、例えば、本件明細書において考察されているようなページングコントローラと、少なくともある態様において、対応することができる。ページ要求受取モジュール2506は、例えば、本件明細書において考察されているようなページングコントローラと、少なくともある態様において、対応することができる。ページメッセージ送信決定モジュール2508は、例えば、本件明細書において考察されているようなページングコントローラと、少なくともある態様において、対応することができる。ページメッセージ送信モジュール2510は、例えば、本件明細書において考察されているようなページングコントローラと、少なくともある態様において、対応することができる。被サポートCSGメッセージ受取モジュール2602は、例えば、本件明細書において考察されているような通信コントローラと、少なくともある態様において、対応することができる。ページメッセージ内リスト決定モジュール2604は、例えば、本件明細書において考察されているようなページングコントローラと、少なくともある態様において、対応することができる。ページ要求受取モジュール2606は、例えば、本件明細書において考察されているようなページングコントローラと、少なくともある態様において、対応することができる。ページメッセージ送信決定モジュール2608は、例えば、本件明細書において考察されているようなページングコントローラと、少なくともある態様において、対応することができる。ページメッセージ送信モジュール2610は、例えば、本件明細書において考察されているようなページングコントローラと、少なくともある態様において、対応することができる。ページメッセージ受取モジュール2702は、例えば、本件明細書において考察されているような通信コントローラと、少なくともある態様において、対応することができる。ノード識別モジュール2704は、例えば、本件明細書において考察されているようなページングコントローラと、少なくともある態様において、対応することができる。ページ送信モジュール2706は、例えば、本件明細書において考察されているようなページングコントローラと、少なくともある態様において、対応することができる。
【０１５５】
図20ないし27のモジュールの機能性は、本件明細書の教示と矛盾しない様々な方法で実装されることができる。ある態様において、これらのモジュールの機能性は、１つまたは複数の電気的コンポーネントとして実装されることができる。ある態様において、これらのブロックの機能性は、１つまたは複数のプロセッサコンポーネントを含む処理システムとして実装されることができる。ある態様において、これらのモジュールの機能性は、例えば、１つまたは複数の集積回路（例えば、ASIC）の少なくとも一部分を使用して実装されることができる。本件明細書において考察されているように、集積回路は、プロセッサ、ソフトウェア、その他の関連コンポーネント、またはこれらのものの何らかの組み合わせを含むことができる。これらのモジュールの機能性はまた、本件明細書において教示されているようなその他の何らかの様態で実装されることもできる。ある態様において、図20 - 27の中のどの破線ブロックについても、そのうちの1つまたは複数のものは、オプションである。
【０１５６】
「第1の」、「第2の」などのような指示詞を用いることによってある要素に言及することは、そのような要素の品質や順位を一般的に限定するものではないということが理解されるべきである。むしろ、本件明細書において、これらの指示詞は、2つもしくはそれ以上の要素または要素の実例を区別する便利な方法として使用される程度のものである。このように、第1および第2の要素への言及は、2つの要素しか使用されていないということを意味するものではなく、また、ある様態において第1の要素がつねに第2の要素を上回るということを意味するものでもない。また、明示的にそうでないと述べられているのでない限り、1セットの要素とは、１つまたは複数の要素を具備するものであることができる。さらに、発明の詳細な説明または特許請求の範囲の記載において使用されている「A、BまたはCのうちの少なくとも１つ」という形式の用語は、「AもしくはBもしくはC、またはこれらの要素の何らかの任意の組み合わせ」を意味するものである。
【０１５７】
当業者であれば、情報および信号は、多様な異なる技術および技法のうちのいずれかを用いて表わされることができることを理解するであろう。例えば、上記の発明の詳細な説明の全体を通じて参照されることができるデータ、命令、コマンド、情報、信号、ビット、シンボルおよびチップは、電圧、電流、電磁波、磁場または磁粒子、光波動場または光粒子、またはこれらのものの任意の組み合わせによって表わされることができる。
【０１５８】
当業者であれば、本件明細書において開示されている態様に関連して説明された様々な例示的な論理ブロック、モジュール、プロセッサ、手段、回路、およびアルゴリズムステップが、電子的ハードウェア（例えば、デジタル実装、アナログ実装、またはこの２つの組み合わせであって、これらは、ソースコードまたはその他の何らかの技法を用いて設計されることができる）、様々な形式のプログラムまたはデザインコードであって命令を組み込んでいるもの（これは本件明細書では、便宜上ソフトウェアまたはソフトウェアモジュールと呼ばれる）、または両者の組み合わせとして実装されることができる、ということをさらに認識するであろう。ハードウェアとソフトウェアの間のこの置換可能性を明白に例示するために、様々な例示的なコンポーネント、ブロック、モジュール、回路およびステップは、上記において、それらの機能性の観点から一般的に説明されてきたところである。そのような機能性がハードウェアとして実装されるか、またはソフトウェアとして実装されるかは、特定のアプリケーションおよびシステム全体に課される設計上の制約に依存する。当業者は、各々の特定のアプリケーションについて異なるやり方でもって、本件明細書に開示されている機能性を実装することができるであろう。しかし、そのような実装が本件開示の範囲からの逸脱を引き起こすものと解釈されてはならない。
【０１５９】
本件明細書において開示されている態様に関連して説明された様々な例示的な論理ブロック、モジュール、および回路は、集積回路（IC）、アクセス端末、またはアクセスポイントの内部で実装されることまたはこれらのものによって実行されることができる。ICは、汎用目的プロセッサ、デジタル信号プロセッサ（DSP）、特定用途向けIC（ASIC）、フィールドプログラマブルゲートアレイ（FPGA）またはその他のプログラム可能な論理デバイス、ディスクリートゲートまたはトランジスタ論理、ディスクリートハードウェアコンポーネント、電気的コンポーネント、光学的コンポーネント、機械的コンポーネントまたはこれらのものの何らかの組み合わせであって本件明細書記載の機能性を実行することを目的として設計されているものを具備することができる。また、ICは、ICの内部、外部またはその両方に存在するコードまたは命令を実行することができる。汎用目的プロセッサは、マイクロプロセッサであってもよいが、その代わりに、任意の通常のプロセッサ、コントローラ、マイクロコントローラ、または状態機械（ステートマシン）であってもよい。プロセッサは、計算装置の組み合わせ、例えば、DSPとマイクロプロセッサとの組み合わせ、複数のマイクロプロセッサ、DSPコアと結合した１つまたは複数のマイクロプロセッサ、またはその他の任意の同様の機器構成として実装されることもできる。
【０１６０】
どの開示されたプロセスについてもそのプロセスの特定の順序または階層性は、すべて例示的アプローチの一例であることが理解される。設計上の選好に基づいて、プロセスの特定の順序または階層性は、本件開示の範囲内にとどまる限りにおいて並び替えが可能であるということが理解される。添付の方法クレームは、様々なステップの要素を例示的順序で提供するものであって、提供されている特定の順序または階層性に限られることを意図するものではない。
【０１６１】
１つまたは複数の例示的態様において、説明されている機能は、ハードウェア、ソフトウェア、ファームウェアまたはそれらのものの任意の組み合わせの中で実装されることができる。ソフトウェアの中で実装される場合にあっては、当該機能は、１つまたは複数の命令またはコードとして、コンピュータ可読媒体に格納されるまたはコンピュータ可読媒体の上で送信されることができる。コンピュータ可読媒体は、コンピュータ記憶媒体のみならず、コンピュータプログラムをある場所から他の場所へ転送することを容易化するあらゆる媒体を含む通信媒体をも含んでいる。記憶媒体は、コンピュータによってアクセス可能なあらゆる入手可能な媒体であることができる。一例として、かつ非制限的例示として、そのようなコンピュータ可読媒体は、RAM、ROM、EEPROM、CD-ROMまたは他の光ディスク記憶、磁気ディスク記憶または他の磁気記憶デバイスもしくは任意の他の媒体であって命令またはデータ構造の形式で所望のプログラムコードコードを送信または記憶するために使用可能でかつコンピュータによってアクセス可能な媒体を含むことができる。また、どのような接続も適切にコンピュータ可読媒体と呼ばれる。例えば、もしソフトウェアがウェブサイト、サーバ、または他の離れた情報源から、同軸ケーブル、光ファイバケーブル、ツイストペアケーブル、ディジタル加入者線(DSL)またはワイヤレス技術（例えば、赤外線、無線およびマイクロ波など）を使用して送信されるのであれば、そうした同軸ケーブル、光ファイバケーブル、ツイストペアケーブル、DSLまたはワイヤレス技術（例えば、赤外線、無線およびマイクロ波など)もまた媒体の定義に含まれる。本件明細書において使用されるディスク（disk and disc）は、コンパクトディスク（CD）、ディジタルバーサタイルディスク(DVD)、フレキシブルディスクおよびブルーレイディスクを含む。ここで、diskは、通常、データを磁気的に再生するものをいい、discは、レーザを用いてデータを光学的に再生するものをいう。上記のものの組み合わせもまた、コンピュータ可読媒体の範疇に含まれるべきである。コンピュータ可読媒体は、何らかの適切なコンピュータプログラム製品の中で実装されることができるということが認識されるべきである。
【０１６２】
開示された態様の上記説明は、任意の当業者が本件発明を製造または使用することができるように提供されている。当業者にとって、これらの態様に対する様々な修正が直ちに明白であろう。また、本件明細書において定義されている一般的原理は、本件開示の範囲から逸脱することなくその他の態様に適用可能である。このように、本件開示は、本件明細書において示された態様に限定されるよう意図されているものではなく、本明細書に開示された原理および新規な特徴と矛盾しない最も広い範囲が与えられるべきものである。
【図１】
2012517141.tif 000003
【図２】
2012517141.tif 000004
【図３Ａ】
2012517141.tif 000005
【図３Ｂ】
2012517141.tif 000006
【図４】
2012517141.tif 000007
【図５】
2012517141.tif 000008
【図６】
2012517141.tif 000009
【図７】
2012517141.tif 000010
【図８】
2012517141.tif 000011
【図９】
2012517141.tif 000012
【図１０】
2012517141.tif 000013
【図１１】
2012517141.tif 000014
【図１２】
2012517141.tif 000015
【図１３Ａ】
2012517141.tif 000016
【図１３Ｂ】
2012517141.tif 000017
【図１４】
2012517141.tif 000018
【図１５】
2012517141.tif 000019
【図１６】
2012517141.tif 000020
【図１７】
2012517141.tif 000021
【図１８】
2012517141.tif 000022
【図１９】
2012517141.tif 000023
【図２０】
2012517141.tif 000024
【図２１】
2012517141.tif 000025
【図２２】
2012517141.tif 000026
【図２３】
2012517141.tif 000027
【図２４】
2012517141.tif 000028
【図２５】
2012517141.tif 000029
【図２６】
2012517141.tif 000030
【図２７】
2012517141.tif 000031
【国際調査報告】
2012517141.tif 000032
2012517141.tif 000033
2012517141.tif 000034
2012517141.tif 000035
2012517141.tif 000036